(57)【要約】【課題】自身の部材の移動を監視するための監視用ＩＣタグを備えた所定の動作を行う装置を監視し、監視のための情報である登録情報の設定を権利者だけが行える監視システム、ＩＣタグを備えた装置及び設定を行う携帯情報端末を提供する。【解決手段】パチンコ機の部材に監視用ＩＣタグが取り付けられ、パチンコ機付属のＲ／Ｗユニットで監視されている。パチンコ機は正規の鍵が挿入されると認証状態（認証フラグＯＮ）となる。携帯情報端末は、Ｒ／Ｗユニットに接続した管理用ＩＣタグへ登録情報の送信を依頼する依頼情報を送信して登録情報を取得し、設定、返送する。Ｒ／Ｗユニットは送受信処理で依頼情報を受信すると（Ｓ４１：ＹＥＳ）、認証状態である場合のみ登録情報を送信し（Ｓ４２：ＹＥＳ、Ｓ４３）、認証状態である場合のみ登録情報を記憶する（Ｓ４８：ＹＥＳ、Ｓ４９）。【選択図】  図２９
2004208893.tif 000002
【特許請求の範囲】
【請求項１】
自身に設けられている部材の移動を監視するための監視用ＩＣタグを備えた所定の動作を行う装置と、前記監視用ＩＣタグを監視するための情報である登録情報の設定や前記監視用ＩＣタグによる監視の結果である監視情報の閲覧を行う携帯情報端末とが通信する監視システムであって、
前記装置は、
前記監視用ＩＣタグと通信を行って前記部材を監視し、前記携帯情報端末と通信するための管理用ＩＣタグを備えたＩＣタグ監視装置を備え、
前記携帯情報端末は、
前記登録情報の送信を依頼する依頼情報を前記管理用ＩＣタグに送信する第１依頼情報送信手段と、
前記管理用ＩＣタグから送信された前記登録情報を受信する第２登録情報受信手段と、
当該第２登録情報受信手段が受信した前記登録情報を記憶する第１登録情報記憶手段と、
前記登録情報の設定を行い、前記第１登録情報記憶手段に記憶する登録情報設定手段と、
前記第１登録情報記憶手段に記憶された前記登録情報を前記管理用ＩＣタグへ送信する第３登録情報送信手段と
を備え、
前記管理用ＩＣタグは、
前記第１依頼情報送信手段から送信された前記依頼情報を受信する第１依頼情報受信手段と、
当該第１依頼情報受信手段が受信した前記依頼情報を前記ＩＣタグ監視装置へ送信する第２依頼情報送信手段と、
前記ＩＣタグ監視装置から送信された前記登録情報を受信する第１登録情報受信手段と、
当該第１登録情報受信手段が受信した前記登録情報を前記第２登録情報受信手段へ送信する第２登録情報送信手段と、
前記第３登録情報送信手段から送信された前記登録情報を受信する第３登録情報受信手段と、
当該第３登録情報受信手段が受信した前記登録情報を前記ＩＣタグ監視装置へ送信する第４登録情報送信手段と
を備え、
前記ＩＣタグ監視装置は、
前記第４登録情報送信手段から送信された前記登録情報を受信する第４登録情報受信手段と、
当該第４登録情報受信手段が受信した前記登録情報を記憶する第２登録情報記憶手段と、
前記第２依頼情報送信手段から送信された前記依頼情報を受信する第２依頼情報受信手段と、
当該第２依頼情報受信手段が前記依頼情報を受信した場合に、前記第２登録情報記憶手段に記憶している前記登録情報を前記第１登録情報受信手段に送信する第１登録情報送信手段と
を備えたことを特徴とする監視システム。
【請求項２】
前記監視システムは、
他のＩＣタグと区別するための識別情報を記憶した認証用ＩＣタグを備えた認証部材を備え、
前記ＩＣタグ監視装置は、
前記認証用ＩＣタグを監視するための情報である認証用登録情報を記憶する認証用登録情報記憶手段と、
前記認証用ＩＣタグを呼び出す呼出波を送信する呼出波送信手段と、
前記認証用ＩＣタグから返送される反射波を受信する反射波受信手段と、
当該反射波受信手段が、前記認証用登録情報記憶手段に記憶されている前記認証用登録情報の中の識別情報と同一の識別情報を含む前記反射波を受信した場合に、前記装置を認証状態とする認証判定手段と、
前記装置が認証状態である場合にのみ、前記第１登録情報送信手段は前記第２登録情報記憶手段に記憶している前記登録情報を前記管理用ＩＣタグに送信する登録情報送信制御手段と、
前記装置が認証状態である場合にのみ、前記第４登録情報受信手段が受信した前記登録情報を前記第２登録情報記憶手段に記憶する登録情報記憶制御手段と
を備えたことを特徴とする請求項１に記載の監視システム。
【請求項３】
前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記監視用ＩＣタグに記憶されている前記識別情報の少なくとも１つを含むことを特徴とする請求項１又は２に記載の監視システム。
【請求項４】
前記認証用登録情報は、前記呼出波送信手段の前記認証用ＩＣタグへの呼出波の送信タイミング及び、前記認証用ＩＣタグに記憶されている識別情報のうちの少なくとも１つを含むことを特徴とする請求項２に記載の監視システム。
【請求項５】
前記携帯情報端末は、
前記認証用登録情報の送信を依頼する認証用依頼情報を前記管理用ＩＣタグに送信する第１認証用依頼情報送信手段と、
前記管理用ＩＣタグから送信された前記認証用登録情報を受信する第２認証用登録情報受信手段と、
当該第２認証用登録情報受信手段が受信した前記認証用登録情報を記憶する第１認証用登録情報記憶手段と、
前記認証用登録情報の設定を行い、前記第１認証用登録情報記憶手段に記憶する認証用登録情報設定手段と、
前記第１認証用登録情報記憶手段に記憶された前記認証用登録情報を前記管理用ＩＣタグへ送信する第３認証用登録情報送信手段と
を備え、
前記管理用ＩＣタグは、
前記第１認証用依頼情報送信手段から送信された前記認証用依頼情報を受信する第１認証用依頼情報受信手段と、
当該第１認証用依頼情報受信手段が受信した前記認証用依頼情報を前記ＩＣタグ監視装置へ送信する第２認証用依頼情報送信手段と、
前記ＩＣタグ監視装置から送信された前記認証用登録情報を受信する第１認証用登録情報受信手段と、
当該第１認証用登録情報受信手段が受信した前記認証用登録情報を前記第２認証用登録情報受信手段へ送信する第２認証用登録情報送信手段と、
前記第３認証用登録情報送信手段から送信された前記認証用登録情報を受信する第３認証用登録情報受信手段と、
当該第３認証用登録情報受信手段が受信した前記認証用登録情報を前記ＩＣタグ監視装置へ送信する第４認証用登録情報送信手段と
を備え、
前記ＩＣタグ監視装置は、
前記第２認証用依頼情報送信手段から送信された前記認証用依頼情報を受信する第２認証用依頼情報受信手段と、
当該第２認証用依頼情報受信手段が前記認証用依頼情報を受信した場合に、前記認証用登録情報記憶手段に記憶している前記認証用登録情報を前記第１認証用登録情報受信手段に送信する第１認証用登録情報送信手段と、
前記第４認証用登録情報送信手段から送信された前記認証用登録情報を受信する第４認証用登録情報受信手段と
を備えたことを特徴とする請求項１乃至４のいずれかに記載の監視システム。
【請求項６】
前記携帯情報端末は、
操作者を特定する特定情報を記憶する特定情報記憶手段と、
前記特定情報を入力する特定情報入力手段と、
当該特定情報入力手段により入力された特定情報が前記特定情報記憶手段に記憶されている前記特定情報と一致するか否かの判定を行う特定情報判定手段と、
当該特定情報判定手段により一致していると判定された場合にのみ、前記認証用登録情報設定手段において前記認証用登録情報の設定を行う認証用登録情報設定制御手段と
を備えたことを特徴とする請求項５に記載の監視システム。
【請求項７】
前記装置は、遊技機であることを特徴とする請求項１乃至６のいずれかに記載の監視システム。
【請求項８】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項７に記載の監視システム。
【請求項９】
自身に設けられている部材の移動を監視するための監視用ＩＣタグを備え、前記監視用ＩＣタグを監視するための情報である登録情報の設定や前記監視用ＩＣタグによる監視の結果である監視情報の閲覧を行う携帯情報端末と管理用ＩＣタグを解して通信する所定の動作を行う装置であって、
前記監視用ＩＣタグと通信を行い前記部材を監視し、前記携帯情報端末と通信するための前記管理用ＩＣタグを備えたＩＣタグ監視装置を備え、
前記管理用ＩＣタグは、
前記携帯情報端末から送信された前記登録情報の送信を依頼する依頼情報を受信する第１依頼情報受信手段と、
当該第１依頼情報受信手段が受信した前記依頼情報を前記ＩＣタグ監視装置へ送信する第２依頼情報送信手段と、
前記ＩＣタグ監視装置から送信された前記登録情報を受信する第１登録情報受信手段と、
当該第１登録情報受信手段が受信した前記登録情報を前記携帯情報端末へ送信する第２登録情報送信手段と、
前記携帯情報端末から送信された前記登録情報を受信する第３登録情報受信手段と、
当該第３登録情報受信手段が受信した前記登録情報を前記ＩＣタグ監視装置へ送信する第４登録情報送信手段と
を備え、
前記ＩＣタグ監視装置は、
前記第４登録情報送信手段から送信された前記登録情報を受信する第４登録情報受信手段と、
当該第４登録情報受信手段が受信した前記登録情報を記憶する第２登録情報記憶手段と、
前記第２依頼情報送信手段から送信された前記依頼情報を受信する第２依頼情報受信手段と、
当該第２依頼情報受信手段が前記依頼情報を受信した場合に、前記第２登録情報記憶手段に記憶している前記登録情報を前記第１登録情報受信手段に送信する第１登録情報送信手段と
を備えたことを特徴とするＩＣタグを備えた装置。
【請求項１０】
他のＩＣタグと区別するための識別情報を記憶した認証用ＩＣタグを備えた認証部材の認証が可能な所定の動作を行う装置であって、
前記ＩＣタグ監視装置は、
前記認証用ＩＣタグを監視するための情報である認証用登録情報を記憶する認証用登録情報記憶手段と、
前記認証用ＩＣタグを呼び出す呼出波を送信する呼出波送信手段と、
前記認証用ＩＣタグから返送される反射波を受信する反射波受信手段と、
当該反射波受信手段が、前記認証用登録情報記憶手段に記憶されている前記認証用登録情報の中の識別情報と同一の識別情報を含む前記反射波を受信した場合に、前記装置を認証状態とする認証判定手段と、
前記装置が認証状態である場合にのみ、前記第１登録情報送信手段は前記第２登録情報記憶手段に記憶している前記登録情報を前記管理用ＩＣタグに送信する登録情報送信制御手段と、
前記装置が認証状態である場合にのみ、前記第４登録情報受信手段が受信した前記登録情報を前記第２登録情報記憶手段に記憶する登録情報記憶制御手段と
を備えたことを特徴とする請求項９に記載のＩＣタグを備えた装置。
【請求項１１】
前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記監視用ＩＣタグを他のＩＣタグと区別するための監視用識別情報の少なくとも１つを含むことを特徴とする請求項９又は１０に記載のＩＣタグを備えた装置。
【請求項１２】
前記認証用登録情報は、前記呼出波送信手段の前記認証用ＩＣタグへの呼出波の送信タイミング及び、前記認証用ＩＣタグに記憶されている識別情報のうちの少なくとも１つであることを特徴とする請求項１０に記載のＩＣタグを備えた装置。
【請求項１３】
前記装置は、遊技機であることを特徴とする請求項９乃至１２のいずれかに記載のＩＣタグを備えた装置。
【請求項１４】
前記遊技機は、
当該遊技機を設置する遊技機設置台に前記遊技機を固定するための機枠と、
前記遊技機の本体を前記機枠に設置するための本体枠と、
遊技球が流下する遊技領域を保護するための前面枠と、
鍵と錠とで構成され、前記機枠と前記本体枠、及び前記本体枠と前記前面枠とを施錠する施錠装置と
を備え、
前記認証部材は前記鍵に備えられていることを特徴とする請求項１３に記載のＩＣタグを備えた装置。
【請求項１５】
自身に設けられている部材の移動を監視するための監視用ＩＣタグを備えた所定の動作を行う装置と管理用ＩＣタグを介して接続し、前記監視用ＩＣタグを監視するための情報である登録情報の設定や前記監視用ＩＣタグによる監視の結果である監視情報の閲覧を行う携帯情報端末であって、
前記携帯情報端末は、
前記登録情報の送信を依頼する依頼情報を前記管理用ＩＣタグに送信する第１依頼情報送信手段と、
前記管理用ＩＣタグから送信された前記登録情報を受信する第２登録情報受信手段と、
当該第２登録情報受信手段が受信した前記登録情報を記憶する第１登録情報記憶手段と、
前記登録情報の設定を行い、前記第１登録情報記憶手段に記憶する登録情報設定手段と、
前記第１登録情報記憶手段に記憶された前記登録情報を前記管理用ＩＣタグへ送信する第３登録情報送信手段と
を備えたことを特徴とする携帯情報端末。
【請求項１６】
前記登録情報は、前記監視用ＩＣタグが備えられている位置を特定する位置特定符号に対応されて記憶されており、前記監視用ＩＣタグを監視するＩＣタグ監視装置が前記監視用ＩＣタグを監視する監視タイミング、及び、前記監視用ＩＣタグに記憶されている他のＩＣタグと区別するための識別情報の少なくとも１つを含むことを特徴とする請求項１５に記載の携帯情報端末。
【請求項１７】
前記ＩＣタグ監視装置により認証される認証部材に設けられた認証用ＩＣタグを識別するための情報である認証用登録情報の送信を依頼する認証用依頼情報を前記管理用ＩＣタグに送信する第１認証用依頼情報送信手段と、
前記管理用ＩＣタグから送信された前記認証用登録情報を受信する第２認証用登録情報受信手段と、
当該第２認証用登録情報受信手段が受信した前記認証用登録情報を記憶する第１認証用登録情報記憶手段と、
前記認証用登録情報の設定を行い、前記第１認証用登録情報記憶手段に記憶する認証用登録情報設定手段と、
前記第１認証用登録情報記憶手段に記憶された前記認証用登録情報を前記管理用ＩＣタグへ送信する第３認証用登録情報送信手段と
を備えたことを特徴とする請求項１５又は１６に記載の携帯情報端末。
【請求項１８】
操作者を特定する特定情報を記憶する特定情報記憶手段と、
前記特定情報を入力する特定情報入力手段と、
当該特定情報入力手段により入力された特定情報が前記特定情報記憶手段に記憶されている前記特定情報と一致するか否かの判定を行う特定情報判定手段と、当該特定情報判定手段により一致していると判定された場合にのみ、前記認証用登録情報設定手段において前記認証用登録情報の設定を行う認証用登録情報設定制御手段と
を備えたことを特徴とする請求項１７に記載の携帯情報端末。
【請求項１９】
前記認証用登録情報は、前記ＩＣタグ監視装置が前記認証用ＩＣタグの認証を行う認証タイミング及び、前記認証用ＩＣタグを他のＩＣタグと区別するための識別情報のうちの少なくとも１つであることを特徴とする請求項１７又は１８に記載の携帯情報端末。
【請求項２０】
前記装置は、遊技機であることを特徴とする請求項１５乃至１９のいずれかに記載の携帯情報端末。
【発明の詳細な説明】
【０００１】
【発明の属する技術分野】
本発明は、監視システム、ＩＣタグを備えた装置、及び携帯情報端末に関し、詳細には、自身に設けられている部材の移動を監視するための監視用ＩＣタグを備えた所定の動作を行う装置を監視する監視システム、ＩＣタグを備えた装置、及び、監視結果を閲覧する携帯情報端末に関する。
【０００２】
【従来の技術】
従来、所定の動作を行う装置の一種である遊技機のうちパチンコ機においては、遊技者が不当に遊技球を獲得する不正行為が後を絶たず、種々の防止策が施されている。特に、遊技機の制御を司る制御基板の不正改造、例えば、不正ＲＯＭへの交換を防止するために、制御基板を収納する基板ボックスには、様々な工夫が施されている。例えば、基板ボックスに封印シールを設けたり、また、制御基板に触われないように、基板ボックスを閉じるかしめ方向にのみ回転する封印ビスによって、基板ボックスの開放を困難にしているものがある（例えば、特許文献１参照）。さらに、可動接点を用いて収納ボックスの開閉を検出して、その検出信号を記憶して、発光ダイオードにより報知するようにしているものもある（例えば、特許文献２参照）。また、基板ボックスの表面にＩＣタグを貼着し、ＩＤ読取装置からの送信要求に応じてＩＣタグからその内部に記憶された識別情報をＩＤ読取装置に送信させ、識別情報を確認することにより、基板ボックスごと制御基板がすり替えられたか否かを判断するようになっているものもある（例えば、特許文献３参照）。
【０００３】
【特許文献１】
特開平１０−２１６１１４１号公報
【特許文献２】
特開平９−３４３６５号公報
【特許文献３】
特開２０００−２８８２１８号公報
【０００４】
しかし、封印シールを用いるものでは、基板ボックスを開放して不正ＲＯＭへの交換が終了した後に、精巧な偽造封印シールを張られてしまうと基板ボックスが開閉されたか否かを判断することは困難だった。また、封印ビスを用いるものでは、特殊な工具で強制的に封印ビスを開放方向へ回して基板ボックスを開放して不正ＲＯＭへの交換が行われてしまうことがあった。さらに、可動接点を用いて基板ボックスの開閉を検出するものでは、基板ボックスは、通常透明の樹脂により形成されているために、収納ボックスの開閉を検出する可動接点が用いられているのが目視により分かり、基板収納ボックスの隙間から、ピアノ線などを入れて可動接点が動かないようにされてしまい、基板ボックスの開閉を検出することができなくなると言う問題点があった。さらに、上記の従来技術では、基板ボックスが開閉されたか否かは、制御基板を目視しないと判断できないという問題点があり、このような不正行為は夜間に行われることが多いが、遊技場に何百台とある遊技機を毎朝点検確認するのは煩雑であった。
【０００５】
そこで、本出願人は特願２００２−２３２１９３号で遊技機の状態を監視する監視システム、遊技機及び装置管理システムを提案した。この出願では、遊技機の一種であるパチンコ機の基板ボックス開閉カバー及び大入賞口の開閉扉に監視用ＩＣタグを各々取り付け、これらの監視用ＩＣタグと通信するリーダライタユニット（ＩＣタグ監視装置）が、適時監視用ＩＣタグに呼出波を送信し、ＩＣタグから予めＩＣタグ監視装置に記憶されている監視用ＩＣタグのＩＤコードが含まれている反射波が返送されてくるか否かにより、部材の開閉を監視している。尚、大入賞口は通常は閉鎖された状態であり、この大入賞口が開放され、遊技球が入球すると遊技者は多数の遊技を獲得できるため、薄いプラスチック板などで不正に開閉扉を開いて、遊技球を入賞させるという不正が発生している。そのため、大入賞口の開閉扉の開放の監視が必要となる。
【０００６】
【発明が解決しようとする課題】
しかしながら、特願２００２−２３２１９３号における発明において、被監視部材が故障等によって交換された場合には、その部材に取り付けられている監視用ＩＣタグも一緒に交換されるので、予めＩＣタグ監視装置に記憶されているＩＤコードを変更する必要があるという問題がある。また、ＩＣタグ監視装置の運用後に、ＩＣタグの監視間隔時間の変更を行いたいという問題もある。
【０００７】
さらに、新しい監視用ＩＣタグが貼り付けられ、不正ＲＯＭが実装された基板を内蔵している基板ボックスに交換された場合に、ＩＣタグ監視装置に記憶されているＩＤコードを変更されてしまうと、ＩＤコードエラーが発生せずに、不正を検知できない。したがって、基板ボックス自体を目視するまではＲＯＭの交換に気がつかないという問題がある。また、監視用ＩＣタグの監視間隔を、不正を行うのに十分な時間、例えば２時間に変更されてしまうと、その間に不正ＲＯＭへの交換が行われたり、大入賞口の開閉扉を開放されたりしてしまう。したがって、たとえ監視は行っていても、監視と監視の間に不正が行われ、不正が検知されないという問題がある。
【０００８】
そこで、登録情報の設定を行うことができる者を限定するために、認証用ＩＣタグを備えた認証部材を使用することを考えるが、その場合においても、偽の認証用ＩＣタグを備えた認証部材を作成されてしまうという問題がある。
【０００９】
本発明は、上記問題を解決するためになされたものであり、自身に設けられている部材の移動を監視するための監視用ＩＣタグを備えた所定の動作を行う装置を監視し、監視用ＩＣタグを監視するための情報である登録情報の設定を行うことができ、さらに正規の認証部材を持った係員以外には変更を行うことができない監視システム、ＩＣタグを備えた装置、及び、登録情報の設定を行う携帯情報端末を提供することを目的としている。
【００１０】
【課題を解決するための手段】
上記課題を解決するため、請求項１に係る発明の監視システムでは、自身に設けられている部材の移動を監視するための監視用ＩＣタグを備えた所定の動作を行う装置と、前記監視用ＩＣタグを監視するための情報である登録情報の設定や前記監視用ＩＣタグによる監視の結果である監視情報の閲覧を行う携帯情報端末とが通信する監視システムであって、前記装置は、前記監視用ＩＣタグと通信を行って前記部材を監視し、前記携帯情報端末と通信するための管理用ＩＣタグを備えたＩＣタグ監視装置を備え、前記携帯情報端末は、前記登録情報の送信を依頼する依頼情報を前記管理用ＩＣタグに送信する第１依頼情報送信手段と、前記管理用ＩＣタグから送信された前記登録情報を受信する第２登録情報受信手段と、当該第２登録情報受信手段が受信した前記登録情報を記憶する第１登録情報記憶手段と、前記登録情報の設定を行い、前記第１登録情報記憶手段に記憶する登録情報設定手段と、前記第１登録情報記憶手段に記憶された前記登録情報を前記管理用ＩＣタグへ送信する第３登録情報送信手段とを備え、前記管理用ＩＣタグは、前記第１依頼情報送信手段から送信された前記依頼情報を受信する第１依頼情報受信手段と、当該第１依頼情報受信手段が受信した前記依頼情報を前記ＩＣタグ監視装置へ送信する第２依頼情報送信手段と、前記ＩＣタグ監視装置から送信された前記登録情報を受信する第１登録情報受信手段と、当該第１登録情報受信手段が受信した前記登録情報を前記第２登録情報受信手段へ送信する第２登録情報送信手段と、前記第３登録情報送信手段から送信された前記登録情報を受信する第３登録情報受信手段と、当該第３登録情報受信手段が受信した前記登録情報を前記ＩＣタグ監視装置へ送信する第４登録情報送信手段とを備え、前記ＩＣタグ監視装置は、前記第４登録情報送信手段から送信された前記登録情報を受信する第４登録情報受信手段と、当該第４登録情報受信手段が受信した前記登録情報を記憶する第２登録情報記憶手段と、前記第２依頼情報送信手段から送信された前記依頼情報を受信する第２依頼情報受信手段と、当該第２依頼情報受信手段が前記依頼情報を受信した場合に、前記第２登録情報記憶手段に記憶している前記登録情報を前記第１登録情報受信手段に送信する第１登録情報送信手段とを備えている。
【００１１】
この構成の監視システムでは、装置のＩＣタグ監視装置は、監視用ＩＣタグと通信を行って部材を監視し、ＩＣタグ監視装置に備えられた管理用ＩＣタグは、携帯情報端末と通信する。また、携帯情報端末の第１依頼情報送信手段は、登録情報の送信を依頼する依頼情報を管理用ＩＣタグに送信し、第２登録情報受信手段は、管理用ＩＣタグから送信された登録情報を受信し、第１登録情報記憶手段は、第２登録情報受信手段が受信した登録情報を記憶し、登録情報設定手段は、登録情報の設定を行い、第１登録情報記憶手段に記憶し、第３登録情報送信手段は、第１登録情報記憶手段に記憶された登録情報を管理用ＩＣタグへ送信する。また、管理用ＩＣタグの第１依頼情報受信手段は、第１依頼情報送信手段から送信された依頼情報を受信し、第２依頼情報送信手段は、第１依頼情報受信手段が受信した依頼情報をＩＣタグ監視装置へ送信し、第１登録情報受信手段は、ＩＣタグ監視装置から送信された登録情報を受信し、第２登録情報送信手段は、第１登録情報受信手段が受信した登録情報を第２登録情報受信手段へ送信し、第３登録情報受信手段は、第３登録情報送信手段から送信された登録情報を受信し、第４登録情報送信手段は、第３登録情報受信手段が受信した登録情報をＩＣタグ監視装置へ送信する。また、ＩＣタグ監視装置の第４登録情報受信手段は、第４登録情報送信手段から送信された登録情報を受信し、第２登録情報記憶手段は、第４登録情報受信手段が受信した登録情報を記憶し、第２依頼情報受信手段は、第２依頼情報送信手段から送信された依頼情報を受信し、第１登録情報送信手段は、第２依頼情報受信手段が依頼情報を受信した場合に、第２登録情報記憶手段に記憶している登録情報を第１登録情報受信手段に送信する。
【００１２】
また、請求項２に係る発明の監視システムでは、請求項１に記載の発明の構成に加えて、前記監視システムは、他のＩＣタグと区別するための識別情報を記憶した認証用ＩＣタグを備えた認証部材を備え、前記ＩＣタグ監視装置は、前記認証用ＩＣタグを監視するための情報である認証用登録情報を記憶する認証用登録情報記憶手段と、前記認証用ＩＣタグを呼び出す呼出波を送信する呼出波送信手段と、前記認証用ＩＣタグから返送される反射波を受信する反射波受信手段と、当該反射波受信手段が、前記認証用登録情報記憶手段に記憶されている前記認証用登録情報の中の識別情報と同一の識別情報を含む前記反射波を受信した場合に、前記装置を認証状態とする認証判定手段と、前記装置が認証状態である場合にのみ、前記第１登録情報送信手段は前記第２登録情報記憶手段に記憶している前記登録情報を前記管理用ＩＣタグに送信する登録情報送信制御手段と、前記装置が認証状態である場合にのみ、前記第４登録情報受信手段が受信した前記登録情報を前記第２登録情報記憶手段に記憶する登録情報記憶制御手段とを備えたことを特徴とする構成となっている。
【００１３】
この構成の監視システムでは、請求項１に記載の発明の作用に加えて、ＩＣタグの監視装置認証用登録情報記憶手段は、認証用ＩＣタグを監視するための情報である認証用登録情報を記憶し、呼出波送信手段は、認証用ＩＣタグを呼び出す呼出波を送信し、反射波受信手段は、認証用ＩＣタグから返送される反射波を受信し、認証判定手段は、反射波受信手段が、認証用登録情報記憶手段に記憶されている認証用登録情報の中の識別情報と同一の識別情報を含む反射波を受信した場合に、装置を認証状態にとし、登録情報送信制御手段は、装置が認証状態である場合に、第１登録情報送信手段は第２登録情報記憶手段に記憶している登録情報を管理用ＩＣタグに送信し、登録情報記憶制御手段は、装置が認証状態である場合にのみ、第２登録情報受信手段が受信した登録情報を第２登録情報記憶手段に記憶する。
【００１４】
また、請求項３に係る発明の監視システムでは、請求項１又は２に記載の発明の構成に加えて、前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記監視用ＩＣタグに記憶されている前記識別情報の少なくとも１つを含むことを特徴とする構成となっている。
【００１５】
この構成の監視システムでは、請求項１又は２に記載の発明の作用に加えて、登録情報は、監視用ＩＣタグが備えられている位置を特定する位置特定符号に対応されて記憶されており、ＩＣタグ監視装置が監視用ＩＣタグを監視する監視タイミング、及び、監視用ＩＣタグに記憶されている識別情報の少なくとも１つを含む。
【００１６】
また、請求項４に係る発明の監視システムでは、請求項２に記載の発明の構成に加えて、前記認証用登録情報は、前記呼出波送信手段の前記認証用ＩＣタグへの呼出波の送信タイミング及び、前記認証用ＩＣタグに記憶されている識別情報のうちの少なくとも１つを含むことを特徴とする構成となっている。
【００１７】
この構成の監視システムでは、請求項２に記載の発明の作用に加えて、認証用登録情報は、呼出波送信手段の認証用ＩＣタグへの呼出波の送信タイミング及び、認証用ＩＣタグに記憶されている識別情報のうちの少なくとも１つを含む。
【００１８】
また、請求項５に係る発明の監視システムでは、請求項１乃至４のいずれかに記載の発明の構成に加えて、前記携帯情報端末は、前記認証用登録情報の送信を依頼する認証用依頼情報を前記管理用ＩＣタグに送信する第１認証用依頼情報送信手段と、前記管理用ＩＣタグから送信された前記認証用登録情報を受信する第２認証用登録情報受信手段と、当該第２認証用登録情報受信手段が受信した前記認証用登録情報を記憶する前記第１認証用登録情報記憶手段と、前記認証用登録情報の設定を行い、前記第１認証用登録情報記憶手段に記憶する認証用登録情報設定手段と、前記第１認証用登録情報記憶手段に記憶された前記認証用登録情報を前記管理用ＩＣタグへ送信する第３認証用登録情報送信手段とを備え、前記管理用ＩＣタグは、前記第１認証用依頼情報送信手段から送信された前記認証用依頼情報を受信する第１認証用依頼情報受信手段と、当該第１認証用依頼情報受信手段が受信した前記認証用依頼情報を前記ＩＣタグ監視装置へ送信する第２認証用依頼情報送信手段と、前記ＩＣタグ監視装置から送信された前記認証用登録情報を受信する第１認証用登録情報受信手段と、当該第１認証用登録情報受信手段が受信した前記認証用登録情報を前記第２認証用登録情報受信手段へ送信する第２認証用登録情報送信手段と、前記第３認証用登録情報送信手段から送信された前記認証用登録情報を受信する第３認証用登録情報受信手段と、当該第３認証用登録情報受信手段が受信した前記認証用登録情報を前記ＩＣタグ監視装置へ送信する第４認証用登録情報送信手段とを備え、前記ＩＣタグ監視装置は、前記第２認証用依頼情報送信手段から送信された前記認証用依頼情報を受信する第２認証用依頼情報受信手段と、当該第２認証用依頼情報受信手段が前記認証用依頼情報を受信した場合に、前記認証用登録情報記憶手段に記憶している前記認証用登録情報を前記第１認証用登録情報受信手段に送信する第１認証用登録情報送信手段と、前記第４認証用登録情報送信手段から送信された前記認証用登録情報を受信する第４認証用登録情報受信手段とを備えたことを特徴とする構成となっている。
【００１９】
この構成の監視システムでは、請求項１乃至４のいずれかに記載の発明の作用に加えて、携帯情報端末の第１認証用依頼情報送信手段は、認証用登録情報の送信を依頼する認証用依頼情報を管理用ＩＣタグに送信し、第２認証用登録情報受信手段は、管理用ＩＣタグから送信された認証用登録情報を受信し、第１認証用登録情報記憶手段は、第２認証用登録情報受信手段が受信した認証用登録情報を記憶し、認証用登録情報設定手段は、認証用登録情報の設定を行い、第１認証用登録情報記憶手段に記憶し、第３認証用登録情報送信手段は、第１認証用登録情報記憶手段に記憶された認証用登録情報を管理用ＩＣタグへ送信する。また、管理用ＩＣタグの第１認証用依頼情報受信手段は、第１認証用依頼情報送信手段から送信された認証用依頼情報を受信し、第２認証用依頼情報送信手段は、第１認証用依頼情報受信手段が受信した認証用依頼情報をＩＣタグ監視装置へ送信し、第１認証用登録情報受信手段は、ＩＣタグ監視装置から送信された認証用登録情報を受信し、第２認証用登録情報送信手段は、第１認証用登録情報受信手段が受信した認証用登録情報を第２認証用登録情報受信手段へ送信し、第３認証用登録情報受信手段は、第３認証用登録情報送信手段から送信された認証用登録情報を受信し、第４認証用登録情報送信手段は、第３認証用登録情報受信手段が受信した認証用登録情報をＩＣタグ監視装置へ送信する。また、ＩＣタグ監視装置の第２認証用依頼情報受信手段は、第２認証用依頼情報送信手段から送信された認証用依頼情報を受信し、第１認証用登録情報送信手段は、第２認証用依頼情報受信手段が認証用依頼情報を受信した場合に、認証用登録情報記憶手段に記憶している認証用登録情報を第１認証用登録情報受信手段に送信し、第４認証用登録情報受信手段は、第４認証用登録情報送信手段から送信された認証用登録情報を受信する。
【００２０】
また、請求項６に係る発明の監視システムでは、請求項５に記載の発明の構成に加えて、前記携帯情報端末は、操作者を特定する特定情報を記憶する特定情報記憶手段と、前記特定情報を入力する特定情報入力手段と、当該特定情報入力手段により入力された特定情報が前記特定情報記憶手段に記憶されている前記特定情報と一致するか否かの判定を行う特定情報判定手段と、当該特定情報判定手段により一致していると判定された場合にのみ、前記認証用登録情報設定手段において前記認証用登録情報の設定を行う認証用登録情報設定制御手段とを備えたことを特徴とする構成となっている。
【００２１】
この構成の監視システムでは、請求項５に記載の発明の作用に加えて、携帯情報端末の特定情報記憶手段は、操作者を特定する特定情報を記憶し、特定情報入力手段は、特定情報を入力し、特定情報判定手段は、特定情報入力手段により入力された特定情報が特定情報記憶手段に記憶されている特定情報と一致するか否かの判定を行い、認証用登録情報設定制御手段は、特定情報判定手段により一致していると判定された場合にのみ、認証用登録情報設定手段において認証用登録情報の設定を行う。
【００２２】
また、請求項７に係る発明の監視システムでは、請求項１乃至６のいずれかに記載の発明の構成に加えて、前記装置は遊技機であることを特徴とする構成となっている。
【００２３】
この構成の監視システムでは、請求項１乃至６のいずれかに記載の発明の作用に加えて、装置は遊技機が用いられる。
【００２４】
また、請求項８に係る発明の監視システムでは、請求項７に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００２５】
この構成の監視システムでは、請求項７に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護する。また、鍵と錠とで構成された施錠装置は、機枠と本体枠、及び本体枠と前面枠とを施錠し、鍵は認証部材を備えている。
【００２６】
また、請求項９に係る発明のＩＣタグを備えた装置では、自身に設けられている部材の移動を監視するための監視用ＩＣタグを備え、前記監視用ＩＣタグを監視するための情報である登録情報の設定や前記監視用ＩＣタグによる監視の結果である監視情報の閲覧を行う携帯情報端末と管理用ＩＣタグを解して通信する所定の動作を行う装置であって、前記監視用ＩＣタグと通信を行い前記部材を監視し、前記携帯情報端末と通信するための前記管理用ＩＣタグを備えたＩＣタグ監視装置を備え、前記管理用ＩＣタグは、前記携帯情報端末から送信された前記登録情報の送信を依頼する依頼情報を受信する第１依頼情報受信手段と、当該第１依頼情報受信手段が受信した前記依頼情報を前記ＩＣタグ監視装置へ送信する第２依頼情報送信手段と、前記ＩＣタグ監視装置から送信された前記登録情報を受信する第１登録情報受信手段と、当該第１登録情報受信手段が受信した前記登録情報を前記携帯情報端末へ送信する第２登録情報送信手段と、前記携帯情報端末から送信された前記登録情報を受信する第３登録情報受信手段と、当該第３登録情報受信手段が受信した前記登録情報を前記ＩＣタグ監視装置へ送信する第４登録情報送信手段とを備え、前記ＩＣタグ監視装置は、前記第４登録情報送信手段から送信された前記登録情報を受信する第４登録情報受信手段と、当該第４登録情報受信手段が受信した前記登録情報を記憶する第２登録情報記憶手段と、前記第２依頼情報送信手段から送信された前記依頼情報を受信する第２依頼情報受信手段と、当該第２依頼情報受信手段が前記依頼情報を受信した場合に、前記第２登録情報記憶手段に記憶している前記登録情報を前記第１登録情報受信手段に送信する第１登録情報送信手段とを備えている。
【００２７】
この構成のＩＣタグを備えた装置では、管理用ＩＣタグの第１依頼情報受信手段は、携帯情報端末から送信された登録情報の送信を依頼する依頼情報を受信し、第２依頼情報送信手段は、第１依頼情報受信手段が受信した依頼情報をＩＣタグ監視装置へ送信し、第１登録情報受信手段は、ＩＣタグ監視装置から送信された登録情報を受信し、第２登録情報送信手段は、第１登録情報受信手段が受信した登録情報を携帯情報端末へ送信し、第３登録情報受信手段は、携帯情報端末から送信された登録情報を受信し、第４登録情報送信手段は、第３登録情報受信手段が受信した登録情報をＩＣタグ監視装置へ送信する。また、ＩＣタグ監視装置の第４登録情報受信手段は、第４登録情報送信手段から送信された登録情報を受信し、第２登録情報記憶手段は、第４登録情報受信手段が受信した登録情報を記憶し、第２依頼情報受信手段は、第２依頼情報送信手段から送信された依頼情報を受信し、第１登録情報送信手段は、第２依頼情報受信手段が依頼情報を受信した場合に、第２登録情報記憶手段に記憶している登録情報を第１登録情報受信手段に送信する。
【００２８】
また、請求項１０に係る発明のＩＣタグを備えた装置では、請求項９に記載の発明の構成に加えて、他のＩＣタグと区別するための識別情報を記憶した認証用ＩＣタグを備えた認証部材の認証が可能な装置であって、前記ＩＣタグ監視装置は、前記認証用ＩＣタグを監視するための情報である認証用登録情報を記憶する認証用登録情報記憶手段と、前記認証用ＩＣタグを呼び出す呼出波を送信する呼出波送信手段と、前記認証用ＩＣタグから返送される反射波を受信する反射波受信手段と、当該反射波受信手段が、前記認証用登録情報記憶手段に記憶されている前記認証用登録情報の中の識別情報と同一の識別情報を含む前記反射波を受信した場合に、前記装置を認証状態とする認証判定手段と、前記装置が認証状態である場合にのみ、前記第１登録情報送信手段は前記第２登録情報記憶手段に記憶している前記登録情報を前記管理用ＩＣタグに送信する登録情報送信制御手段と、前記装置が認証状態である場合にのみ、前記第４登録情報受信手段が受信した前記登録情報を前記第２登録情報記憶手段に記憶する登録情報記憶制御手段とを備えたことを特徴とする構成となっている。
【００２９】
この構成のＩＣタグを備えた装置では、請求項９に記載の発明の作用に加えて、ＩＣタグ監視装置の認証用登録情報記憶手段は、認証用ＩＣタグを監視するための情報である認証用登録情報を記憶し、呼出波送信手段は、認証用ＩＣタグを呼び出す呼出波を送信し、反射波受信手段は、認証用ＩＣタグから返送される反射波を受信し、認証判定手段は、反射波受信手段が、認証用登録情報記憶手段に記憶されている認証用登録情報の中の識別情報と同一の識別情報を含む反射波を受信した場合に、装置を認証状態とし、登録情報送信制御手段は、装置が認証状態である場合に、第１登録情報送信手段は第２登録情報記憶手段に記憶している登録情報を管理用ＩＣタグに送信し、登録情報記憶制御手段は、装置が認証状態である場合にのみ、第２登録情報受信手段が受信した登録情報を第２登録情報記憶手段に記憶する。
【００３０】
また、請求項１１に係る発明のＩＣタグを備えた装置では、請求項９又は１０に記載の発明の構成に加えて、前記登録情報は、前記監視用ＩＣタグが備えられている位置を特定する位置特定符号に対応されて記憶されており、前記ＩＣタグ監視装置が前記監視用ＩＣタグを監視する監視タイミング、及び、前記監視用ＩＣタグを他のＩＣタグと区別するための監視用識別情報の少なくとも１つを含むことを特徴とする構成となっている。
【００３１】
この構成のＩＣタグを備えた装置では、請求項９又は１０に記載の発明の作用に加えて、登録情報は、監視用ＩＣタグが備えられている位置を特定する位置特定符号に対応されて記憶されており、ＩＣタグ監視装置が監視用ＩＣタグを監視する監視タイミング、及び、監視用ＩＣタグを他のＩＣタグと区別するための監視用識別情報の少なくとも１つを含む。
【００３２】
また、請求項１２に係る発明のＩＣタグを備えた装置では、請求項１０に記載の発明の構成に加えて、前記認証用登録情報は、前記呼出波送信手段の前記認証用ＩＣタグへの呼出波の送信タイミング及び、前記認証用ＩＣタグに記憶されている識別情報のうちの少なくとも１つであることを特徴とする構成となっている。
【００３３】
この構成のＩＣタグを備えた装置では、請求項１０に記載の発明の作用に加えて、認証用登録情報は、呼出波送信手段の認証用ＩＣタグへの呼出波の送信タイミング及び、認証用ＩＣタグに記憶されている識別情報のうちの少なくとも１つが用いられる。
【００３４】
また、請求項１３に係る発明のＩＣタグを備えた装置では、請求項９乃至１２のいずれかに記載の発明の構成に加えて、前記装置は遊技機であることを特徴とする構成となっている。
【００３５】
この構成のＩＣタグを備えた装置では、請求項９乃至１２のいずれかに記載の発明の作用に加えて、装置は遊技機が用いられる。
【００３６】
また、請求項１４に係る発明のＩＣタグを備えた装置では、請求項１３に記載の発明の構成に加えて、前記遊技機は、当該遊技機を設置する遊技機設置台に前記遊技機を固定するための機枠と、前記遊技機の本体を前記機枠に設置するための本体枠と、遊技球が流下する遊技領域を保護するための前面枠と、鍵と錠とで構成され、前記機枠と前記本体枠、及び前記本体枠と前記前面枠とを施錠する施錠装置とを備え、前記認証部材は前記鍵に備えられていることを特徴とする構成となっている。
【００３７】
この構成のＩＣタグを備えた装置では、請求項１３に記載の発明の作用に加えて、遊技機の機枠は、遊技機を設置する遊技機設置台に遊技機を固定し、本体枠は、遊技機の本体を機枠に設置し、前面枠は、遊技球が流下する遊技領域を保護する。また、鍵と錠とで構成された施錠装置は、機枠と本体枠、及び本体枠と前面枠とを施錠し、鍵は認証部材を備えている。
【００３８】
また、請求項１５に係る発明の携帯情報端末では、装置に設けられている部材の移動を監視するための監視用ＩＣタグを備えた装置と管理用ＩＣタグを介して接続し、前記監視用ＩＣタグを監視するための情報である登録情報の設定や前記監視用ＩＣタグによる監視の結果である監視情報の閲覧を行う携帯情報端末であって、前記携帯情報端末は、前記登録情報の送信を依頼する依頼情報を前記管理用ＩＣタグに送信する第１依頼情報送信手段と、前記管理用ＩＣタから送信された前記登録情報を受信する第２登録情報受信手段と、当該第２登録情報受信手段が受信した前記登録情報を記憶する第１登録情報記憶手段と、前記登録情報の設定を行い、前記第１登録情報記憶手段に記憶する登録情報設定手段と、前記第１登録情報記憶手段に記憶された前記登録情報を前記装置へ送信する第３登録情報送信手段とを備えている。
【００３９】
この構成の携帯情報端末では、携帯情報端末の第１依頼情報送信手段は、登録情報の送信を依頼する依頼情報を管理用ＩＣタグに送信し、第２登録情報受信手段は、管理用ＩＣタグから送信された登録情報を受信し、第１登録情報記憶手段は、第２登録情報受信手段が受信した登録情報を記憶し、登録情報設定手段は、登録情報の設定を行い、第１登録情報記憶手段に記憶し、第３登録情報送信手段は、第１登録情報記憶手段に記憶された登録情報を装置へ送信する。
【００４０】
また、請求項１６に係る発明の携帯情報端末では、請求項１５に記載の発明の構成に加えて、前記登録情報は、前記監視用ＩＣタグが備えられている位置を特定する位置特定符号に対応されて記憶されており、前記監視用ＩＣタグを監視するＩＣタグ監視装置が前記監視用ＩＣタグを監視する監視タイミング、及び、前記監視用ＩＣタグに記憶されている他のＩＣタグと区別するための識別情報の少なくとも１つを含むことを特徴とする構成となっている。
【００４１】
この構成の携帯情報端末では、請求項１５に記載の発明の作用に加えて、登録情報は、監視用ＩＣタグが備えられている位置を特定する位置特定符号に対応されて記憶されており、監視用ＩＣタグを監視するＩＣタグ監視装置が監視用ＩＣタグを監視する監視タイミング、及び、監視用ＩＣタグに記憶されている他のＩＣタグと区別するための識別情報の少なくとも１つを含む。
【００４２】
また、請求項１７に係る発明の携帯情報端末では、請求項１５又は１６に記載の発明の構成に加えて、前記ＩＣタグ監視装置により認証される認証部材に設けられた認証用ＩＣタグを識別するための情報である認証用登録情報の送信を依頼する認証用依頼情報を前記管理用ＩＣタグに送信する第１認証用依頼情報送信手段と、前記管理用ＩＣタグから送信された前記認証用登録情報を受信する第２認証用登録情報受信手段と、当該第２認証用登録情報受信手段が受信した前記認証用登録情報を記憶する前記第１認証用登録情報記憶手段と、前記認証用登録情報の設定を行い、前記第１認証用登録情報記憶手段に記憶する認証用登録情報設定手段と、前記第１認証用登録情報記憶手段に記憶された前記認証用登録情報を前記管理用ＩＣタグへ送信する第３認証用登録情報送信手段とを備えたことを特徴とする構成となっている。
【００４３】
この構成の携帯情報端末では、請求項１５又は１６に記載の発明の作用に加えて、第１認証用依頼情報送信手段は、ＩＣタグ監視装置により認証される認証部材に設けられた認証用ＩＣタグを識別するための情報である認証用登録情報の送信を依頼する認証用依頼情報を管理用ＩＣタグに送信し、第２認証用登録情報受信手段は、管理用ＩＣタグから送信された認証用登録情報を受信し、第１認証用登録情報記憶手段は、第２認証用登録情報受信手段が受信した認証用登録情報を記憶し、認証用登録情報設定手段は、認証用登録情報の設定を行い、第１認証用登録情報記憶手段に記憶し、第３認証用登録情報送信手段は、第１認証用登録情報記憶手段に記憶された認証用登録情報を管理用ＩＣタグへ送信する。
【００４４】
また、請求項１８に係る発明の携帯情報端末では、請求項１７に記載の発明の構成に加えて、操作者を特定する特定情報を記憶する特定情報記憶手段と、前記特定情報を入力する特定情報入力手段と、当該特定情報入力手段により入力された特定情報が前記特定情報記憶手段に記憶されている前記特定情報と一致するか否かの判定を行う特定情報判定手段と、当該特定情報判定手段により一致していると判定された場合にのみ、前記認証用登録情報設定手段において前記認証用登録情報の設定を行う認証用登録情報設定制御手段とを備えたことを特徴とする構成となっている。
【００４５】
この構成の携帯情報端末では、請求項１７に記載の発明の作用に加えて、特定情報記憶手段は、操作者を特定する特定情報を記憶し、特定情報入力手段は、特定情報を入力し、特定情報判定手段は、特定情報入力手段により入力された特定情報が特定情報記憶手段に記憶されている特定情報と一致するか否かの判定を行い、認証用登録情報設定制御手段は、特定情報判定手段により一致していると判定された場合にのみ、認証用登録情報設定手段において認証用登録情報の設定を行う。
【００４６】
また、請求項１９に係る発明の携帯情報端末では、請求項１７又は１８に記載の発明の構成に加えて、前記認証用登録情報は、前記ＩＣタグ監視装置が前記認証用ＩＣタグの認証を行う認証タイミング及び、前記認証用ＩＣタグを他のＩＣタグと区別するための識別情報のうちの少なくとも１つであることを特徴とする構成となっている。
【００４７】
この構成の携帯情報端末では、請求項１７又は１８に記載の発明の作用に加えて、認証用登録情報は、ＩＣタグ監視装置が認証用ＩＣタグの認証を行う認証タイミング及び、認証用ＩＣタグを他のＩＣタグと区別するための識別情報のうちの少なくとも１つが用いられる。
【００４８】
また、請求項２０に係る発明の携帯情報端末では、請求項１５乃至１９のいずれかに記載の発明の構成に加えて、前記装置は遊技機であることを特徴とする構成となっている。
【００４９】
この構成の携帯情報端末では、請求項１５乃至１９のいずれかに記載の発明の作用に加えて、装置は遊技機が用いられる。
【００５０】
【発明の実施の形態】
以下、本発明の一実施の形態について図面を参照して以下の順で説明する。
１．システム構成の概要説明
２．装置の説明
３．携帯情報端末の説明
４．ＩＣタグ監視装置での監視に関する説明
５．監視設定及び認証設定の動作の説明
６．監視設定及び認証設定の動作における変形例の説明
７．実施の形態と請求項との対比
８．実施の形態の効果
９．変形例の説明
【００５１】
１．システム構成の概要説明
図１は、本実施の形態の監視システムの構成図である。本実施形態の監視システムでは、遊技機の一種であるパチンコ機１が「ＩＣタグを備えた装置」に相当し、パチンコ機１に備えられたリーダライタユニット（以下、「Ｒ／Ｗユニット」と称する。）３０が「ＩＣタグ監視装置」として機能する。パチンコ機１にはＲ／Ｗユニット３０が付属しており、遊技場内にある複数台のパチンコ機１を背中合わせに２列に並べて設置した遊技機設置島２００の各々に管理端末装置１００が設置されている。さらに、パチンコ機１に付属のＲ／Ｗユニット３０が店内ネットワーク１５０を介して管理端末装置１００に接続される構成となっている。また、管理端末装置１００は遊技場全体を管理するホールコンピュータ３００に接続されており、このホールコンピュータ３００が各管理端末装置１００を一括管理している。また、ハンディターミナル（以下、「ＨＴ」と称する。）４００は、携帯可能でパチンコ機１と無線で通信可能であり、「携帯情報端末」として機能する。
【００５２】
また、パチンコ機１には、パチンコ機１の制御を行う基板が備えられている基板ボックス８０（図３参照）の上蓋部８０ａの内面の正面視右下に監視用ＩＣタグ８６が取り付けられており（図８参照）、遊技球の入賞により多数の遊技球を払い出す大入賞口１６（図２参照）の開閉扉１６ａに、監視用ＩＣタグ１８６が貼り付けられている（図９参照）。そして、Ｒ／Ｗユニット３０がこれらの監視用ＩＣタグ８６，１８６に監視用呼出波をアンテナを介して送信して監視用ＩＣタグ８６，１８６が備えられた基板ボックス８０及び大入賞口１６の開閉の監視、即ち上蓋部８０ａ及び開閉扉１６ａの異常の監視を行っている。また、監視の結果、異常が発生したり、異常が回復したりした場合には、その情報が監視情報としてＲ／Ｗユニット３０に記憶され、管理端末装置１００に送信される。そこで、管理端末装置１００は監視情報を報知し、その監視情報に対して遊技場内で係員が対応できるように構成されている。また、ＨＴ４００はパチンコ機１の前面側に設けられた管理用ＩＣタグ２４と通信を行うことにより、監視情報を取得してＨＴ４００で監視情報を閲覧することができ、さらに、Ｒ／Ｗユニット３０に記憶されている登録情報及び認証用登録情報を取得して、登録情報及び認証用登録情報の設定を行うことができる。尚、ＨＴ４００では、パチンコ機１で別途収集している稼働球数や払い出し球数等の各種遊技情報も閲覧することができる。
【００５３】
尚、図８に示す基板ボックス８０の上蓋部８０ａ及び図９に示す大入賞口１６の開閉扉１６ａが「部材」に相当し、開閉部材である上蓋部８０ａ及び開閉扉１６ａの開放が「部材の移動」に相当し、基板ボックス８０の上蓋部８０ａの内面の正面視右下及び大入賞口１６の開閉扉１６ａが「監視用ＩＣタグが備えられている位置」に相当している。本発明の監視システムでは、自身の部材の移動を監視するために、被監視部材の１箇所又は複数の位置に監視用ＩＣタグを設置して、Ｒ／Ｗユニット３０が各監視用ＩＣタグに対して監視用呼出波を送信することにより被監視部材の移動を監視する。本実施の形態では、１つの被監視部材に対して１箇所の位置にしか監視用ＩＣタグを設置していないが、例えば、基板ボックス８０について言うならば、上蓋部８０ａの内面の正面視右下だけでなく、正面視左上にも監視用ＩＣタグを設置して、１つの被監視部材に対して複数の位置に監視用ＩＣタグを設置することにより被監視部材の監視を行ってもよい。
【００５４】
２．装置の説明
次に、図２を参照してパチンコ機１について説明する。図２は、パチンコ機１の前面枠１１１及び本体枠１１０を開いた状態をパチンコ機１の前面から見た斜視図である。図２に示すように、パチンコ機１は、遊技機設置島２００に固定される機枠１１２と、本体１１３を囲い固定している本体枠１１０と、遊技盤２を保護する前面枠１１１とから構成されている。鍵穴１２０に鍵１２１（図１０参照）を挿入し、鍵１２１を左方向へ回転させると前面枠１１１が手前に開き、鍵１２１を右方向へ回転させると本体枠１１０が手前に開く。
【００５５】
また、パチンコ機１の本体枠１１０の内部には本体１１３がはめ込まれており、本体１１３の正面の上半分の部分には、略正方形の遊技盤２が設けられ、遊技盤２には、ガイドレール３で囲まれた略円形の遊技領域４が設けられていおり、前面枠１１１は透明なガラス板１１１ａを保持し、遊技盤２を覆っている。パチンコ機１の遊技盤２の下方部には、図示外の発射機に遊技球を供給し、また、賞品球を受ける上皿５が設けられ、上皿５の直下には、賞品球を受ける下皿６が設けられ、下皿６の右横には、発射ハンドル７が設けられ、上皿５と下皿６との間には、スピーカー４８が設けられている。また、遊技領域４の下部には、大入賞口１６が設けられている。さらに、パチンコ機１の前面枠１１１の正面視左上の裏面には、ＨＴ４００と通信するための管理用ＩＣタグ２４が備えられている。この管理用ＩＣタグ２４はケーブル２４ｋでＲ／Ｗユニット３０に接続しており、Ｒ／Ｗユニット３０に記憶されているデータを取得することができる。尚、遊技盤２には、上記以外に、種々の入賞口、電飾ランプ、風車、障害釘及び図柄表示装置等が設けられている。
【００５６】
次に、図３を参照して、パチンコ機１の背面の構造について説明する。図３はパチンコ機１の背面図である。図３に示すように、パチンコ機１の左下部背面には、パチンコ機１の主制御を司る主制御基板４１を収納した基板ボックス８０が設けられ、基板ボックス８０の右隣には音基板４３が、音基板４３の右隣上方には電源基板４２が、その下方には払出制御基板４５がそれぞれ透明な樹脂製のボックスに収められて配置されている。さらに、基板ボックス８０の上方には、遊技盤の裏面を保護し、各種配線を覆うセンターカバー９０が配置され、そのセンターカバー９０の外側にＲ／Ｗユニット３０が設置されている。尚、Ｒ／Ｗユニット３０の電源は、電源基板４２からではなく遊技機設置島２００の電源装置（図示外）から供給されている。
【００５７】
次に、図４を参照してパチンコ機１及びパチンコ機１に付属したＲ／Ｗユニット３０の主な構成要素の電気的構成について説明する。図４は、パチンコ機１及びパチンコ機１に付属したＲ／Ｗユニット３０の電気的構成を示すブロック図である。
【００５８】
パチンコ機１には、主制御基板４１、電源基板４２、音基板４３、図柄表示基板４４、払出制御基板４５、電飾基板４６、中継基板４７、発射基板６６等が設けられている。主制御基板４１には、各種の演算処理を行うＣＰＵ５１が設けられており、フラグやカウンタ値やデータを記憶するＲＡＭ５２と、制御プログラム及び各種の初期値のデータや図柄表示装置（図示外）への表示内容のデータ等を記憶したＲＯＭ５３とが接続している、これらのＣＰＵ５１、ＲＡＭ５２及びＲＯＭ５３は１つのＬＳＩ５０として一体にモールディングされている。また、ＣＰＵ５１は、Ｉ／Ｏインターフェース５４に接続しており、Ｉ／Ｏインターフェース５４には、Ｒ／Ｗユニット３０へデータを引き渡すための出力ポート５５、音基板４３、図柄表示基板４４、払出制御基板４５、電飾基板４６、中継基板４７、発射基板６６が接続している。また、主制御基板４１、音基板４３、図柄表示基板４４、払出制御基板４５、電飾基板４６、中継基板４７、発射基板６６はそれぞれ電源基板４２に接続し、電源の供給を受けている。さらに、パチンコ機１には監視用ＩＣタグ８６及び監視用ＩＣタグ１８６が、それぞれの監視部材である基板ボックス８０及び大入賞口１６に貼り付けられており、管理用ＩＣタグ２４が前面枠１１１の裏面に貼り付けられている。
【００５９】
また、Ｒ／Ｗユニット３０には、Ｒ／Ｗユニット３０の制御を司るＣＰＵ３１が設けられており、ＣＰＵ３１にはフラグやデータ等を一時的に記憶するＲＡＭ３３、制御プログラム及び各種の初期値のデータ等を記憶したＲＯＭ３４、及び、登録情報３２１（図１３参照）等を記憶するＥＥＰＲＯＭ３２が接続している。また、ＣＰＵ３１にはＩ／Ｏインターフェース３８が接続し、Ｉ／Ｏインターフェース３８には管理端末装置１００に接続するための店内ネットワーク１５０に接続する通信回路３７及びパチンコ機１の主制御基板４１の出力ポート５５と接続する入力ポート３６が接続している。さらに、ＣＰＵ３１には、監視用ＩＣタグ８６，監視用ＩＣタグ１８６へ監視用呼出波を送信し、監視用反射波を受信するためのＲＦ回路３５が接続している。さらに、ＲＦ回路３５にはパチンコ機１に設置されている監視用アンテナ６８，監視用アンテナ１６８及び認証用アンテナ１２８が接続している。尚、監視用アンテナ６８，監視用アンテナ１６８及び認証用アンテナ１２８は、パチンコ機１に設置されている。監視用アンテナ６８は監視用ＩＣタグ８６と通信をし、監視用アンテナ１６８は監視用ＩＣタグ１８６と通信をし、認証用アンテナ１２８は鍵１２１に埋め込まれている認証用ＩＣタグ１２６（図１０参照）と通信をする。さらに、パチンコ機１に貼り付けられている管理用ＩＣタグ２４はＲ／Ｗユニット３０のＩ／Ｏインターフェース３８に接続している。
【００６０】
次に、図５及び図６を参照して監視用ＩＣタグ８６の構造について説明する。図５は、監視用ＩＣタグ８６の平面図である。図６は、監視用ＩＣタグ８６の電気的回路構成を示すブロック図である。監視用ＩＣタグ８６には、図６に示すように、Ｒ／Ｗユニット３０からの監視用呼出波に応答して監視用反射波を放出するＲＦ回路８６ａ、アンテナ８６ｂ、ＥＥＰＲＯＭ８６ｃが搭載されている。また、監視用ＩＣタグ８６は、図５に示すように、薄いフレキシブルプリント基板上にアンテナ８６ｂ及びＩＣチップ８６ｄが設けられており、ＩＣチップ８６ｄには、ＲＦ回路８６ａとＥＥＰＲＯＭ８６ｃとが一体となって構成されている。さらに、ＥＥＰＲＯＭ８６ｃには、監視用ＩＣタグ８６を他の監視用ＩＣタグから識別するための識別情報であるＩＤコードが上書消去禁止区域に記憶されている。
【００６１】
Ｒ／Ｗユニット３０から監視用アンテナ６８を介して監視用呼出波が送られてくると、アンテナ８６ｂがこれを受信するが、この監視用呼出波には搬送波成分が含まれており、これを受信してＲＦ回路８６ａで整流して直流電圧を得る。従って、監視用ＩＣタグ８６は、電池や外部電源を使用せずに必要な時にいつでもデータを発信することができる。データの発信は、ＥＥＰＲＯＭ８６ｃからＩＤコードを読み出して監視用反射波に乗せ、ＲＦ回路８６ａから監視用アンテナ６８に向けて送信する。
【００６２】
尚、監視用ＩＣタグ８６と監視用ＩＣタグ１８６とは、同様の構造をしており、監視用ＩＣタグ１８６もＲＦ回路、アンテナ、ＥＥＰＲＯＭを搭載し、薄いフレキシブルプリント基板上にアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１８６を他の監視用ＩＣタグから識別するための識別情報であるＩＤコードが上書消去禁止区域に記憶されている。
【００６３】
また、図７は、管理用ＩＣタグ２４の電気的回路構成を示すブロック図である。管理用ＩＣタグ２４も、監視用ＩＣタグ８６と同様に薄いフレキシブルプリント基板上にアンテナ２４ｂ及びＩＣチップが設けられており、さらにＲ／Ｗユニット３０へ接続するためのケーブル２４ｋが設けられている。また、ＩＣチップにはＲＦ回路２４ａとＥＥＰＲＯＭ２４ｃだけでなく、ＲＡＭ２４ｇ内蔵型のＣＰＵ２４ｆ及びＲＯＭ２４ｅを備えている。そして、管理用ＩＣタグ８６等と同様に、ＥＥＰＲＯＭ２４ｃには管理用ＩＣタグ２４を他のＩＣタグと識別するための識別情報であるＩＤコードが上書消去禁止区域に記憶されている。尚、ＲＦ回路２４ａはＨＴ４００から送信される呼出波を受信し、ＨＴ４００に対して反射波を送信し、ＲＯＭ２４ｅは、ＣＰＵ２４ｆで実施されるプログラム等を記憶している。
【００６４】
次に、図８を参照して基板ボックス８０を監視するために、基板ボックス８０に備えられた監視用ＩＣタグ８６及び監視用アンテナ６８について説明する。図８は基板ボックス８０の斜視図である。尚、被監視部材である基板ボックス８０に貼り付けられた監視用ＩＣタグ８６の貼り付け位置を示す位置特定符号を、本実施の形態では「ＢＯＸ」とする。
【００６５】
図８に示すように、基板ボックス８０は、透明な樹脂製の平面視略長方形の上蓋部８０ａと、同じく透明な樹脂製の平面視略長方形の下蓋部８０ｃとから構成されている。また、上蓋部８０ａに対向する下蓋部８０ｃ上には、パチンコ機１の主制御を司る主制御基板４１が配置されている。そして、上蓋部８０ａの裏面側には、小型で長方形の監視用ＩＣタグ８６（図５参照）が接着剤等で接着されている。主制御基板４１の右下端部には、切り欠きが設けられ、その切り欠き位置には監視用ＩＣタグ８６と電磁波によるＲＦ送受信を行うためのコイル状の監視用アンテナ６８が下蓋部８０ｃに設けられ、監視用アンテナ６８は同軸ケーブルによりＲ／Ｗユニット３０に接続されている。
【００６６】
尚、本実施形態において、監視用ＩＣタグ８６と監視用アンテナ６８は、１３．５６ＭＨｚの短波帯で通信を行っている。この周波数での通信はノイズによる影響を比較的受けにくいので、パチンコ機１の設置環境に適している。監視用アンテナ６８と監視用ＩＣタグ８６との距離は、上蓋部８０ａと下蓋部８０ｃを組み付けた状態で約３ｍｍになるように配置されている。この距離間ではＲＦ送受信が可能であり監視用アンテナ６８を介したＲ／Ｗユニット３０からの呼び出しに監視用ＩＣタグ８６が応答することができ、監視用アンテナ６８と監視用ＩＣタグ８６との距離が約５ｍｍを超えると通信不能となるように設定されている。この通信可能距離は、監視用アンテナ６８のコイルの巻き数やリアクタンス値により調節が可能である。このように通信可能距離を設定することにより、上蓋部８０ａのわずかな隙間の開放であっても検知することができ、また、振動等によるわずかな揺れでは通信不能とならないように調整されている。また、上述したように、この周波数帯での通信はノイズによる影響を比較的受けにくいが、他の電磁波を使用する部材からのノイズの影響による誤動作を少しでも防ぐために、監視用ＩＣタグ８６や監視用アンテナ６８は、ソレノイドを使用している賞品払出装置や発射モータから離した位置である主制御基板４１の右下端部に配置している。
【００６７】
次に、図９を参照して、所定条件の成立により開閉扉１６ａを開閉する可変入賞装置の一種である大入賞口１６が設けられているアタッカ部材１６０への監視用ＩＣタグ１８６の設置について説明する。図９は、開閉扉１６ａが開放されている状態のアタッカ部材１６０の斜視図である。尚、被監視部材である大入賞口１６の開閉扉１６ａに貼り付けられた監視用ＩＣタグ１８６の貼り付け位置を示す位置特定符号を、本実施の形態では「ＤＡＩ」とする。
【００６８】
図９に示すように、アタッカ部材１６０の開閉扉１６ａの表面には、前述した監視用ＩＣタグ１８６が貼り付けられ、さらに監視用ＩＣタグ１８６を覆うように装飾シール等が貼付されて遊技者からは見えないようになっている。また、アタッカ部材１６０の開口部１６ｂである大入賞口１６の周囲には、監視用ＩＣタグ１８６を囲むようにループ形状の監視用アンテナ１６８が設けられ、監視用アンテナ１６８は同軸ケーブルによりＲ／Ｗユニット３０に接続されている。
【００６９】
この監視用ＩＣタグ１８６は、送受信方向に指向性があり、監視用アンテナ１６８と平行に位置した場合のみ送受信可能である。大入賞口１６の閉鎖状態では、開閉扉１６ａが大入賞口１６の開口部１６ｂを塞いでおり、監視用ＩＣタグ１８６と監視用アンテナ１６８はほぼ同一平面上に位置しているので、送受信可能であり、監視用アンテナ１６８を介したＲ／Ｗユニット３０からの監視用呼出波に対して監視用ＩＣタグ１８６から監視用反射波が返される。一方、図９に示すように開閉扉１６ａが開くと、監視用ＩＣタグ１８６と監視用アンテナ１６８とは平行でなくなり、通信可能な臨界角度を超えるので、監視用ＩＣタグ１８６はＲ／Ｗユニット３０からの呼び出しに応答できなくなる。
【００７０】
また、監視用アンテナ１６８と監視用ＩＣタグ１８６間の通信も１３．５６ＭＨｚの短波帯で行われており、この周波数帯での通信はノイズによる影響を受けにくいが、他の電磁波を使用する部材からのノイズの影響による誤動作を少しでも防ぐために、開閉扉１６ａの動作を制御する大入賞口開放ソレノイド７０は、監視用ＩＣタグ１８６や監視用アンテナ１６８から離したアタッカ部材１６０の左奥に配置されている。
【００７１】
次に、鍵１２１の構造について図１０を用いて説明する。図１０は、鍵１２１の平面図である。尚、この鍵１２１が「認証部材」に相当する。図１０に示すように、鍵１２１は、把持部１２２のカバー内部に認証用ＩＣタグ１２６が埋め込まれている。この鍵１２１は、パチンコ機１の前面枠１１１及び本体枠１１０の開閉及び認証に使用される。尚、認証用ＩＣタグ１２６は、把持部１２２のカバー内部に埋め込むために、細い円筒型（スティック型）に形成されている。また、その電気的回路構成は、監視用ＩＣタグ８６及び監視用ＩＣタグ１８６と同様で、認証用ＩＣタグ１２６もＲＦ回路、アンテナ、ＥＥＰＲＯＭを搭載している。円筒中にはアンテナ及びＩＣチップが設けられて、ＩＣチップには、ＲＦ回路とＥＥＰＲＯＭとが一体となって構成されている。そして、ＥＥＰＲＯＭには、監視用ＩＣタグ１２６を他のＩＣタグと識別するための識別情報であるＩＤコードが上書消去禁止区域に記憶されている。また、この鍵１２１は複数存在してもよい。ただし、その際には各鍵１２１に埋め込まれている認証用ＩＣタグ１２６のＩＤコードは、各認証用ＩＣタグ１２６毎に異なる。
【００７２】
３．携帯情報端末の説明
次に、パチンコ機１の前面枠１１１の内側の開閉軸側上部に備えられた管理用ＩＣタグ２４（図２参照）と通信し、Ｒ／Ｗユニット３０に記憶されている監視情報を取得して閲覧したり、Ｒ／Ｗユニット３０に記憶されている登録情報及び認証用登録情報の設定をしたりするＨＴ４００について、図１１及び図１２を用いて説明する。図１１は、ＨＴ４００の斜視図である。図１２は、ＨＴ４００の電気的構成のブロック図である。
【００７３】
まず、図１１を参照してＨＴ４００の形状を説明する。図１１に示すように、ＨＴ４００は、周知の携帯型情報端末であるＰＤＡ（Ｐｅｒｓｏｎａｌ  Ｄｉｇｉｔａｌ  Ａｓｓｉｓｔａｎｔｓ）であり、上部にＳＤメモリカード（Ｓｅｃｕｒｅ  Ｄｉｇｉｔａｌ  Ｍｅｍｏｒｙ  Ｃａｒｄ）やＭＭＣ（Ｍｕｌｔｉ  Ｍｅｄｉａ  Ｃａｒｄ）等のメモリーカード、あるいは小型フラッシュメモリカードやＰＣカード型のＰＨＳアダプタ等を挿入するためのカードスロットを備え、カードスロットには、アンテナ４０２とＲＦ回路４１０（図１２参照）を備えた読取ユニット４０１が挿入されている。読取ユニット４０１は、アンテナ４０２を管理用ＩＣタグ２４に適切な角度で向けられるように、回転軸４０６を中心に９０度の範囲で屈折可能な構成となっている。また、ＨＴ４００の正面にはメニュー画面を表示する表示パネル４０３、表示パネル４０３に表示されるカーソルや表示内容を上下左右に移動させるための方向キー４０５、表示パネル４０３の画面を操作するためのメニューキー４０４を備えている。さらに、ＨＴ４００の側面には赤外線通信用の赤外線通信ポート（図示外）が、底面には入出力ポート（図示外）からクレードル等を介してパーソナルコンピュータ等の外部機器に接続するためのコネクタ（図示外）が設けられている。
【００７４】
次に、図１２を参照してＨＴ４００の電気的構成を説明する。図１２に示すように、ＨＴ４００には、ＨＴ４００の制御を司るＣＰＵ４１１が設けられ、ＣＰＵ４１１には、各種のデータを一時的に記憶するＲＡＭ４１３と、ＣＰＵ４１１で実行される制御プログラム等を記憶したＲＯＭ４１２と、不揮発性メモリの一種であり監視情報を記憶するフラッシュメモリ４１４と、データの受け渡しの仲介を行うＩ／Ｏインターフェース４０９とが接続されている。フラッシュメモリ４１４には、登録情報記憶エリア４１４ａ、認証用登録情報記憶エリア４１４ｂ、管理用ＩＣタグＩＤコード記憶エリア４１４ｃ等が設けられており、登録情報記憶エリア４１４ａには、パチンコ機１のＲ／Ｗユニット３０から取得した登録情報が記憶されており、認証用登録情報記憶エリア４１４ｂには、パチンコ機１のＲ／Ｗユニット３０から取得した認証用登録情報が記憶されており、管理用ＩＣタグＩＤコード記憶エリア４１４ｃには、パチンコ機１に備え付けられている管理用ＩＣタグ２４のＩＤコードがパチンコ機１の台番号に対応されて記憶されている。また、読取ユニット４０１には、管理用ＩＣタグ２４と通信するアンテナ４０２と、送信回路及び受信回路であるＲＦ回路４１０を備えており、アンテナ４０２はＲＦ回路４１０に接続し、ＲＦ回路４１０はＩ／Ｏインターフェース４０９に接続している。また、表示パネル４０３と、外部装置とデータのやり取りを行う入出力回路４０７、赤外線通信回路４０８と、入力キーであるメニューキー４０４及び方向キー４０５とがＩ／Ｏインターフェース４０９に接続している。
【００７５】
４．ＩＣタグ監視装置での監視に関する説明
次に、図１３乃至図１８を参照して、Ｒ／Ｗユニット３０がパチンコ機１に取り付けられた監視用ＩＣタグ８６及び監視用ＩＣタグ１８６を監視する監視処理で使用されるデータの構造について説明する。図１３は、Ｒ／Ｗユニット３０のＥＥＰＲＯＭ３２の登録情報記憶エリアに記憶されている登録情報３２１の模式図である。図１４は、Ｒ／Ｗユニット３０のＲＡＭ３３の監視処理使用データ記憶エリアに記憶されている監視処理使用データ３３１の模式図である。図１５は、Ｒ／Ｗユニット３０のＥＥＰＲＯＭ３２の認証用登録情報記憶エリアに記憶されている認証用登録情報３２２の模式図である。図１６は、Ｒ／Ｗユニット３０のＥＥＰＲＯＭ３２の監視情報記憶エリアに記憶されている監視情報３２３の模式図である。図１７は、Ｒ／Ｗユニット３０で行われるメイン処理のフローチャートである。図１８は、Ｒ／Ｗユニット３０で行われるメイン処理の中で行われる監視処理のフローチャートである。
【００７６】
まず、図１３を参照して、Ｒ／Ｗユニット３０のＥＥＰＲＯＭ３２の登録情報記憶エリアに記憶されている登録情報３２１について説明する。登録情報３２１には、基板ボックス８０及び大入賞口１６を監視するための情報が登録されている。登録情報３２１は、監視される位置毎に１つの登録データが登録されており、図１３に示すようにデータ番号欄３２１ａ、位置特定符号欄３２１ｂ、ＩＤコード欄３２１ｃ及び監視間隔時間欄３２１ｄが設けられている。
【００７７】
データ番号欄３２１ａには、登録データのデータ番号が「１」から順に振られている。位置特定符号欄３２１ｂには、その登録データがパチンコ機１の被監視部材のどの位置を監視するためのものであるかを特定するための位置特定符号が英数字で登録されている。登録データは１つの被監視部材の被監視位置に付き１つしか登録されないので、異なる登録データに同じ位置特定符号が記憶されることはない。ＩＤコード欄３２１ｃには、被監視位置に貼り付けられている監視用ＩＣタグに記憶されているＩＤコードが登録されている。監視間隔時間欄には、Ｒ／Ｗユニット３０が被監視部材に貼り付けられている監視用ＩＣタグに監視用アンテナを介して監視用呼出波を送信して、監視を行うタイミングを指定するための時間がミリ秒単位で登録されている。ここに登録されている時間毎に監視用呼出波が送信される。
【００７８】
図１３に示す例では、データ番号欄３２１ａが「１」である登録データの位置特定符号欄３２１ｂには「ＢＯＸ」、ＩＤコード欄３２１ｃには「１５５７００１Ｈ」、監視間隔時間欄３２１ｄには「３０００」ミリ秒が登録されている。尚、位置特定符号「ＢＯＸ」は基板ボックス８０を示している。また、データ番号欄３２１ａが「２」である登録データの位置特定符号欄３２１ｂには「ＤＡＩ」、ＩＤコード欄３２１ｃには「００１１Ｎ２２１」、監視間隔時間欄３２１ｄには「５０」ミリ秒が登録されている。尚、位置特定符号「ＤＡＩ」は大入賞口１６を示している。
【００７９】
次に、図１４を参照してＲ／Ｗユニット３０のＲＡＭ３３の監視処理使用データ記憶エリアに記憶されている監視処理使用データ３３１について説明する。監視処理使用データ３３１には、基板ボックス８０及び大入賞口１６を監視する際に使用されるカウンタやフラグが記憶されている。図１４に示すように、監視処理使用データ３３１には、データ番号欄３３１ａ、監視カウンタ欄３３１ｂ、ＩＤフラグ欄３３１ｃ及び消失フラグ欄３３１ｄが設けられている。尚、監視処理使用データ３３１のデータ番号欄３３１ａは、登録情報３２１のデータ番号欄３２１ａに記憶されているデータ番号と対応している。つまり、登録情報３２１のデータ番号欄３２１ａが「１」である被監視部材の移動を監視する際には、監視処理使用データ３３１のデータ番号欄３３１ａが「１」である監視カウンタ、ＩＤフラグ及び消失フラグが使用される。
【００８０】
データ番号欄３３１ａには、データ番号が「１」から順に振られている。監視カウンタ欄３３１ｂには、当初、登録情報３２１の監視間隔時間がセットされ、図示外の時間管理プログラムにより１ミリ秒毎に減算される。また、ＩＤフラグ欄３３１ｃには、被監視位置に貼り付けられた監視用ＩＣタグに監視用呼出波を送信した際に返されて来た監視用反射波に含まれていたＩＤコードが、ＩＤコード欄３２１ｃに登録されているものと一致しない場合に、「ＩＤコードエラー」となり、「１」がセットされて「ＯＮ」状態となる。ＩＤコードエラーが発生していない状態では「ＯＦＦ」状態で「０」がセットされている。また、消失フラグ欄３３１ｄには、被監視位置に貼り付けられた監視用ＩＣタグに監視用呼出波を送信した際に監視用反射波が返されてこなかった場合に、「消失エラー」となり、「１」がセットされて「ＯＮ」状態となる。消失エラーが発生していない状態では「ＯＦＦ」状態で「０」がセットされている。
【００８１】
図１４に示す例では、データ番号欄３３１ａが「１」である登録データの監視カウンタ欄３３１ｂには「１９７８」、ＩＤフラグ欄３３１ｃには「０」、消失フラグ欄３３１ｄには「０」がセットされている。データ番号欄３３１ａが「１」である登録データの監視カウンタ欄３３１ｂには「８」、ＩＤフラグ欄３３１ｃには「０」、消失フラグ欄３３１ｄには「０」がセットされている。
【００８２】
次に、図１５を参照して、Ｒ／Ｗユニット３０のＥＥＰＲＯＭ３２の認証用登録情報記憶エリアに記憶されている認証用登録情報３２２について説明する。認証用登録情報３２２には、認証用ＩＣタグ１２６を識別するための識別情報であるＩＤコードが登録されている。ここに登録されているＩＤコードを記憶している認証用ＩＣタグ１２６を埋め込んだ鍵１２１をパチンコ機１の鍵穴１２０に挿入することにより、パチンコ機１を認証状態とすることができる。図１５に示すように、認証用登録情報３２２には、ＩＤコード１欄、ＩＤコード２欄、ＩＤコード３欄、ＩＤコード４欄、ＩＤコード５欄、ＩＤコード６欄、ＩＤコード７欄、ＩＤコード８欄の８つの欄が設けられている。ＩＤコード１欄〜ＩＤコード８欄には、鍵１２１に埋め込まれている認証用ＩＣタグ１２６に記憶されているＩＤコードが記憶されている。遊技場内においては、例えば店員の数分だけ鍵１２１が複数存在することも考えられるので、ＩＤコード１欄〜ＩＤコード８欄の８つの欄が設けられている。すなわち、本実施の形態では、８つの鍵１２１を登録することができる。
【００８３】
図１５に示す例では、ＩＤコード１欄には「１６１７４０９８」、Ｉ、ＩＤコード２欄には「ＦＴ１７６４９５」、ＩＤコード３欄には「０００８３０８２」が登録されており、ＩＤコード４欄、ＩＤコード５欄、ＩＤコード６欄、ＩＤコード７欄及びＩＤコード８欄には登録されていない。
【００８４】
次に、図１６を参照してＲ／Ｗユニット３０のＥＥＰＲＯＭ３２の監視情報記憶エリアに記憶されている監視情報３２３について説明する。この監視情報３２３には、基板ボックス８０及び大入賞口１６を監視した結果、異常が発生していたり、異常が回復していたりした際にその監視データが追加記憶される。図１６に示すように、監視情報３２３には、データ番号欄３２３ａ、日付欄３２３ｂ、時刻欄３２３ｃ、位置特定符号欄３２３ｄ及び内容欄３２３ｅが設けられている。データ番号欄３２３ａには、監視データ毎に古い順に「１」から番号が振られており、日付欄３２３ｂには、監視データが作成された日付がセットされ、時刻欄３２３ｃには、監視データが作成された時刻がセットされる。異常が発生した場合には発生日付及び発生時刻であり、異常が回復した場合に回復日付及び回復時刻となる。位置特定符号欄３２３ｄには、異常が発生した監視用ＩＣタグが設置されている位置を示す位置特定符号がセットされ、内容欄３２３ｅには、監視データの内容がコードでセットされており、「１１」は所定時間内に監視用反射波が返送されてこなかった消失エラーが発生したことを示し、「２１」はＩＤコードが登録情報３２１に記憶されているものと異なるＩＤコードエラーが発生したことを示し、「１２」は消失エラーが回復したことを示し、「２２」はＩＤコードエラーが回復したことを示している。
【００８５】
図１６に示す例では、１番目の監視データは、日付欄３２３ｂに「２００２．０７．１６」、時刻欄３２３ｃに「２０：３０：１５」、位置特定符号欄３２３ｄに「ＤＡＩ」、内容欄３２３ｅに「１１」がセットされているので、２００２年７月１６日の２０時３０分１５秒に大入賞口１６の開閉扉１６ａに設置されている監視用ＩＣタグ１８６に消失エラーが発生したことを示している。２番目の監視データは、日付欄３２３ｂに「２００２．０７．１６」、時刻欄３２３ｃに「２０：３１：１９」、位置特定符号欄３２３ｄに「ＤＡＩ」、内容欄３２３ｅに「１２」がセットされているので、２００２年７月１６日の２０時３１分１９秒に大入賞口１６の開閉扉１６ａに設置されている監視用ＩＣタグ１８６に発生していた消失エラーが回復したことを示している。データ番号「３」〜「３７」の監視データは略されている。
【００８６】
３８番目の監視データは、日付欄３２３ｂに「２００２．１０．２２」、時刻欄３２３ｃに「３：１５：２４」、位置特定符号欄３２３ｄに「ＢＯＸ」、内容欄３２３ｅに「１１」がセットされているので、２００２年１０月２２日の３時１５分２４秒に基板ボックス８０に設置されている監視用ＩＣタグ８６に消失エラーが発生したことを示している。３９番目の監視データは、日付欄３２３ｂに「２００２．１０．２２」、時刻欄３２３ｃに「３：１６：３６」、位置特定符号欄３２３ｄに「ＢＯＸ」、内容欄３２３ｅに「１２」がセットされているので、２００２年１０月２２日の３時１６分３６秒に基板ボックス８０に設置されている監視用ＩＣタグ８６に基板ボックス８０に設置されている監視用ＩＣタグ８６に発生していた消失エラーが回復したことを示している。４０番目の監視データは、日付欄３２３ｂに「２００２．１０．２２」、時刻欄３２３ｃに「３：１８：４０」、位置特定符号欄３２３ｄに「ＢＯＸ」、内容欄３２３ｅに「２１」がセットされているので、２００２年１０月２２日の３時１８分４０秒に基板ボックス８０に設置されている監視用ＩＣタグ８６にＩＤコードエラーが発生したことを示している。４１番目の監視データは、日付欄３２３ｂに「２００２．１０．２３」、時刻欄３２３ｃに「８：４５：０２」、位置特定符号欄３２３ｄに「ＢＯＸ」、内容欄３２３ｅに「２２」がセットされているので、２００２年１０月２３日の８時４５分２秒に基板ボックス８０に設置されている監視用ＩＣタグ８６に発生していたＩＤコードエラーが回復したことを示している。４２番目の監視データは、日付欄３２３ｂに「２００２．１１．１２」、時刻欄３２３ｃに「１８：２２：５５」、位置特定符号欄３２３ｄに「ＤＡＩ」、内容欄３２３ｅに「１１」がセットされているので、２００２年１１月１２日の１８時２２分５５秒に大入賞口１６の開閉扉１６ａに設置されている監視用ＩＣタグ１８６に消失エラーが発生したことを示している。最終の監視データはデータ番号が「４３」であり、日付欄３２３ｂに「２００２．１１．１２」、時刻欄３２３ｃに「１８：２４：０５」、位置特定符号欄３２３ｄに「ＤＡＩ」、内容欄３２３ｅに「１２」がセットされているので、２００２年１１月１２日の１８時２４分５秒に大入賞口１６の開閉扉１６ａに設置されている監視用ＩＣタグ１８６に発生していた消失エラーが回復したことを示している。
【００８７】
次に、図１７を参照してメイン処理について説明する。このメイン処理では、登録情報３２１に記憶されている監視間隔時間に従い、監視用アンテナから監視用呼出波を送信して、被監視部材に設置されている監視用ＩＣタグの監視をする監視処理を行い、認証用アンテナから認証用呼出波を送信して、パチンコ機１を認証状態とするか否かの処理をする認証処理を行い、登録情報及び認証用登録情報の管理用ＩＣタグ２４との送受信処理を行う。尚、このメイン処理は、Ｒ／Ｗユニット３０に電源が投入され、起動処理が終了した後に開始され、Ｒ／Ｗユニット３０の電源がＯＮである間継続して実施される。Ｒ／Ｗユニット３０は、パチンコ機１の電源基板から電源の供給を受けていないため、夜間にパチンコ機１の電源をＯＦＦしたとしても、電源断とはならず処理は中断されないため、夜間にも監視を続けることができる。
【００８８】
まず、データ番号カウンタｎに初期値の「０」をセットする（Ｓ１）。このデータ番号カウンタｎは、図１３に示す登録情報３２１のデータ番号をカウントするためのカウンタであり、データカウンタｎ番目の登録データに登録されている位置特定符号が示している被監視位置の監視が行われる。次いで、データ番号カウンタｎに「１」を加算し（Ｓ２）、データ番号カウンタｎの値が登録情報３２１のデータ数である「２」よりも大きいか否かを判定する（Ｓ３）。データ番号カウンタｎの値が「２」よりも大きくなければ（Ｓ３：ＮＯ）、監視処理使用データ３３１のｎ番目のデータの監視カウンタ欄３３１ｂ欄の値が「０」より大きいか否かを判定する（Ｓ４）。この監視カウンタ欄３３１ｂ欄の値は、本メイン処理とは別処理の時間管理プログラムにおいて、１ミリ秒毎に減算され、「０」以下となると監視時刻が到来したことになる。ｎ番目のデータの監視カウンタ欄３３１ｂ欄の値が「０」より大きい場合には（Ｓ４：ＹＥＳ）、まだ監視時刻となっていないので、Ｓ２へ戻る。ｎ番目のデータの監視カウンタ欄３３１ｂ欄の値が「０」より大きくない場合には（Ｓ４：ＮＯ）、監視時刻となっているので、次回の監視のために登録情報３２１のｎ番目の登録データの監視間隔時間欄３２１ｄに記憶されている値を監視カウンタ欄３３１ｂ欄へセットする（Ｓ５）。
【００８９】
次いで、ｎ番目の登録情報３２１の登録データの位置特定符号欄３２１ｂに記憶されている位置特定符号が「ＤＡＩ」であるか否かを判定する（Ｓ６）。位置特定符合「ＤＡＩ」は、大入賞口１６の開閉扉１６ａを示しており、この開閉扉１６ａはパチンコ機１が大当たり中であれば開放されるため、パチンコ機１が大当たり中には開閉扉１６ａの開放を監視する必要はない。そこで、位置特定符号が「ＤＡＩ」である場合には（Ｓ６：ＹＥＳ）、パチンコ機１が大当たり中であるか否かを判定し（Ｓ７）、大当たり中である場合には（Ｓ７：ＹＥＳ）、何もせずにＳ２へ戻る。大当たり中であるか否かの判断は、大当たりフラグにより行う。この大当たりフラグは主制御基板４１からの信号の受信により、ＯＦＦ／ＯＮが行われる。大当たり中でない場合には（Ｓ７：ＮＯ）、位置特定符号が「ＤＡＩ」である被監視位置、すなわち大入賞口１６の開閉扉１６ａの監視処理行う（Ｓ８）。また、ｎ番目の位置特定符号が「ＤＡＩ」でない場合には（Ｓ６：ＮＯ）、必ず監視が行われるので、Ｓ８へ進み、ｎ番目の登録情報３２１の登録データに記憶された位置への監視処理を行う。監視処理終了後には、Ｓ２へ戻る。
【００９０】
続いて、データ番号カウンタｎに「１」を加算する（Ｓ２）。そして、データ番号カウンタｎの値が「２」よりも大きれば（Ｓ３：ＹＥＳ）、認証用アンテナ１２８から認証用呼出波の送信を行う（Ｓ９）。次いで、所定時間内に認証用ＩＣタグ１２６から認証用反射波の返送があるか否かを判定する（Ｓ１０）。ここで、所定時間は例えば１０ミリ秒とする。認証用反射波の返送がない場合には（Ｓ１０：ＮＯ）、認証用ＩＣタグ１２６が埋め込まれた鍵１２１が鍵穴１２０に差し込まれていないということなので、認証フラグに「０」をセットし「ＯＦＦ」として、否認証状態とし（Ｓ１３）、Ｓ１４へ進む。認証用反射波の返送がある場合には（Ｓ１０：ＹＥＳ）、反射波に含まれているＩＤコードが予め認証用登録情報３２２に登録されているか否かを判定する（Ｓ１１）。ここでは、認証用反射波に含まれているＩＤコードを、認証用登録情報３２２に記憶されているＩＤコードと１つずつ比較し、一致しているか判定する。一致するＩＤコードがなければ、そのＩＤコードは予め登録されていないので（Ｓ１１：ＮＯ）、正規の鍵１２１でない鍵１２１が鍵穴１２０に差し込まれているということになるので、認証フラグに「０」をセットし「ＯＦＦ」として、否認証状態とし（Ｓ１３）、送受信処理を行い（Ｓ１４）、Ｓ１へ戻る。この送受信処理では、管理用ＩＣタグ２４から登録情報の送信を依頼する依頼情報を受信した場合に、登録情報３２１を管理用ＩＣタグ２４へ送信したり、認証用登録情報の送信を依頼する認証用依頼情報を受信した場合に、認証用登録情報３２２を管理用ＩＣタグ２４へ送信したり、管理用ＩＣタグ２４から送信された登録情報又は認証用登録情報を受信したりする。この送受信処理については、図２９でフローチャートを用いて詳述する。
【００９１】
一致しているＩＤコードがあれば、そのＩＤコードは予め登録されているものであるので（Ｓ１１：ＹＥＳ）、認証フラグに「１」をセットし「ＯＮ」として、認証状態へ移行させて（Ｓ１２）、送受信処理を行い（Ｓ１４）、Ｓ１へ戻る。以上の処理を繰り返し実施することにより、監視処理、認証処理及び送受信処理を継続して行うことができる。
【００９２】
次いで、図１８を参照してメイン処理の中で行われる監視処理（図１７：Ｓ８）についてフローチャートを用いて説明する。この監視処理は、データ番号がメイン処理中で更新されるデータ番号カウンタｎの値である登録情報３２１の登録データの位置特定符号欄３２１ｂに記憶されている位置特定符号が示す被監視位置を監視するための監視用アンテナから、監視用呼出波を送信することにより基板ボックス８０及び大入賞口１６の開放を監視する。
【００９３】
まず、ｎ番目の位置特定符号欄３２１ｂに記憶されている位置特定符号が示す位置を監視するために設けられている監視用アンテナから監視用呼出波を送信する（Ｓ２１）。この監視用アンテナは、位置特定符号が「ＤＡＩ」である場合には監視用アンテナ１６８であり、位置特定符号が「ＢＯＸ」である場合には監視用アンテナ６８である。次いで、監視用ＩＣタグから監視用反射波の返送が所定時間内にあるか否かを判定する（Ｓ２２）。本実施の形態では、この所定時間は例えば１０ミリ秒とする。
【００９４】
所定時間内に監視用反射波の返送がない場合には（Ｓ２２：ＮＯ）、監視用ＩＣタグが監視用アンテナと通信できない位置にある、すなわち監視用ＩＣタグの設置部材が不正に開放されていると考えられる。そこで、まず監視処理使用データ３３１のｎ番目の消失フラグ欄３３１ｄに「１」がセットされて「ＯＮ」となっているか否かを判定する（Ｓ２３）。ｎ番目の消失フラグ欄３３１ｄに「１」がセットされて「ＯＮ」となっている場合には（Ｓ２３：ＹＥＳ）、消失エラーとなっており、すでにこの不正開放が検知され、監視データが監視情報に記憶されているので、再度監視データを作成しないために何もせずに処理を終了する。ｎ番目の消失フラグ欄３３１ｄに「１」がセットされて「ＯＮ」となっていない場合には（Ｓ２３：ＮＯ）、今回の監視にて初めてこの不正開放が検知されたので、監視処理使用データ３３１のｎ番目の消失フラグ欄３３１ｄに「ＯＮ」をセットする（Ｓ２４）。そして、監視情報３２３へ消失エラー発生の監視データを追加記憶し（Ｓ２５）、管理端末装置１００へ新しい監視データを送信して（Ｓ２６）、処理を終了する。
【００９５】
所定時間内に監視用反射波の返送があった場合には（Ｓ２２：ＹＥＳ）、監視用反射波に含まれているＩＤコードが登録情報３２１のｎ番目の登録データのＩＤコード欄３２１ｃに記憶されているＩＤコードと一致するか否かを判定する（Ｓ２７）。
【００９６】
Ｓ２７にてＩＤコードが一致しない場合には（Ｓ２７：ＮＯ）、監視処理使用データ３３１のｎ番目のＩＤフラグ欄３３１ｃに「１」がセットされて「ＯＮ」となっているか否かを判定する（Ｓ２８）。「ＯＮ」である場合には（Ｓ２８：ＹＥＳ）、すでにこのＩＤコードエラーが検知され、ＩＤコードエラーとなっており、監視データが監視情報に記憶されているので、再度監視データを作成しないために何もせずに処理を終了する。「ＯＮ」でない場合には（Ｓ２８：ＮＯ）、ｎ番目のＩＤフラグ欄３３１ｃに「１」をセットして「ＯＮ」とし（Ｓ２９）、監視情報へＩＤコードエラー発生の監視データを追加記憶し（Ｓ３０）、管理端末装置１００へ監視データを送信して（Ｓ３１）、処理を終了する。
【００９７】
Ｓ２７にてＩＤコードが一致した場合には（Ｓ２７：ＹＥＳ）、被監視位置に備えられた監視用ＩＣタグは正常である。そこで、監視処理使用データ３３１のｎ番目の消失フラグ欄３３１ｄに「１」がセットされて「ＯＮ」となっているか否かを判定する（Ｓ３２）。「ＯＮ」である場合には（Ｓ３２：ＹＥＳ）、消失エラーの状態から正常となっており、消失エラーから回復したことを示しているので、ｎ番目の消失フラグ欄３３１ｄに「０」をセットして「ＯＦＦ」とし（Ｓ３３）、監視情報へ消失エラー回復の監視データを追加記憶し（Ｓ３４）、監視データを管理端末装置１００へ送信して（Ｓ３５）、Ｓ３６へ進む。「ＯＮ」でない場合には（Ｓ３２：ＮＯ）、消失エラーは発生していないので、何もせずにＳ３６へ進む。
【００９８】
Ｓ３６では、監視処理使用データ３３１のｎ番目のＩＤフラグ欄３３１ｃに「１」がセットされて「ＯＮ」となっているか否かを判定する（Ｓ３６）。「ＯＮ」である場合には（Ｓ３６：ＹＥＳ）、ＩＤコードエラーの状態から正常となっており、ＩＤコードエラーから回復したことを示しているので、ｎ番目のＩＤフラグ欄３３１ｃに「０」をセットして「ＯＦＦ」とし（Ｓ３７）、監視情報へＩＤコードエラー回復の監視データを追加記憶し（Ｓ３８）、監視データを管理端末装置１００へ送信して（Ｓ３９）、処理を終了する。「ＯＮ」でない場合には（Ｓ３６：ＮＯ）、ＩＤコードエラーは発生していないので、何もせずに処理を終了する。
【００９９】
５．監視設定及び認証設定の動作の説明
次に、図１９乃至図２９を参照してＨＴ４００での登録情報及び認証用登録情報の設定について説明する。図１９は、ＨＴ４００の表示パネル４０３に表示されるパチンコ機監視メニュー画面４０３ａのイメージ図である。図２０は、ＨＴ４００の表示パネル４０３に表示される監視設定メニュー画面４０３ｂのイメージ図である。図２１は、ＨＴ４００の表示パネル４０３に表示される監視設定メニューの変更画面４０３ｃのイメージ図である。図２２は、ＨＴ４００のフラッシュメモリ４１４の登録情報記憶エリア４１４ａに記憶されている登録情報４１４１の模式図である。図２３は、ＨＴ４００のパチンコ機監視メニュー画面４０３ａで「監視設定」を選択した際に行われる監視設定処理のフローチャートである。図２４は、ＨＴ４００の表示パネル４０３に表示される認証設定メニュー画面４０３ｄのイメージ図である。図２５は、ＨＴ４００の表示パネル４０３に表示される認証設定メニュー画面の追加画面４０３ｅのイメージ図である。図２６は、ＨＴ４００のフラッシュメモリ４１４の認証用登録情報記憶エリア４１４ｂに記憶されている認証用登録情報４１４２の模式図である。図２７は、ＨＴ４００のパチンコ機監視メニュー画面４０３ａで「認証設定」を選択した際に行われる認証設定処理のフローチャートである。図２８は、管理用ＩＣタグ２４で行われる管理用ＩＣタグ送受信処理のフローチャートである。図２９は、Ｒ／Ｗユニット３０のメイン処理で行われる送受信処理のフローチャートである。
【０１００】
まず、図１９のイメージ図を参照して、ＨＴ４００の表示パネル４０３に表示されるパチンコ機監視メニュー画面４０３ａについて説明する。このパチンコ機監視メニュー画面４０３ａは、ＨＴ４００を起動させ、初期画面（図示外）から「パチンコ機監視メニュー」を選択した際に表示される。図１９に示すように、パチンコ機監視メニュー画面４０３ａには、「監視情報」ボタン、「監視設定」ボタン、「認証設定」ボタン及び「終了」ボタンが表示されており、画面に触れるか、又は方向キー４０５により選択してメニューキー４０４により決定することによりいずれかのボタンを選択することができる。読取ユニット４０１のアンテナ４０２をパチンコ機１の管理用ＩＣタグ２４に近づけ、「監視情報」ボタンを選択すると、監視情報を閲覧することができ、「監視設定」ボタンを選択すると、パチンコ機の被監視部材の被監視位置についての情報が登録されている登録情報の設定を行うことができ、「認証設定」ボタンを選択すると、パチンコ機１を認証状態とするための認証用ＩＣタグ１２６のＩＤコードが登録されている認証用登録情報の設定を行うことができる。「終了」ボタンを選択すると「パチンコ機監視メニュー」が終了する。
【０１０１】
次に、図２０を参照して、ＨＴ４００の表示パネル４０３に表示される監視設定メニュー画面４０３ｂについて説明する。この監視設定メニュー画面４０３ｂは、パチンコ機監視メニュー画面４０３ａにおいて、「監視設定」ボタンを選択し、パチンコ機選択画面（図示外）でパチンコ機１の台番号を選択して、選択したパチンコ機１に備えられている管理用ＩＣタグ２４と正常に通信が行われた場合に場合に表示され、通信を行った管理用ＩＣタグ２４が備えられているパチンコ機１のＲ／Ｗユニット３０に記憶されている登録情報３２１の設定を行うことができる。
【０１０２】
図２０に示すように、監視設定メニュー画面４０３ｂでは、画面最上部には「監視設定メニュー」と表示されている。そして、その下行にどのパチンコ機１の登録情報が表示されているのかを示す、台番号が「１０４」と表示されている。その下には、登録情報４１４１（図２２参照）の内容を示す表が表示されている。この表にはデータ番号欄、位置特定符号欄、ＩＤコード欄及び間隔欄が設けられており、図２０に示す例では、データ番号欄「１」の位置特定符号欄は「ＢＯＸ」であり、ＩＤコード欄は「１５５７００１Ｈ」であり、間隔欄は「３０００」である。また、データ番号欄「２」の位置特定符号欄は「ＤＡＩ」であり、ＩＤコード欄は「００１１Ｎ２２１」であり、間隔欄は「１０」であり、データ番号欄「３」及び「４」には何も表示されていない。
【０１０３】
さらに、表の右下には入力項目として指定番号欄が設けられており、画面最下部には、「変更」ボタン、「追加」ボタン、「削除」ボタン、「送信」ボタン及び「キャンセル」ボタンが設けられている。ＨＴ４００の操作者は、指定番号欄に変更、追加、又は削除を行うデータ番号を入力キー４０４及び４０５を使用して入力する。データを入力する際には、「０」〜「９」の数字及びアルファベット２６文字を列挙した入力補助画面が表示される。そこで、操作者は入力キー４０４及び４０５を操作してアルファベットも入力することができる。そして、「変更」ボタンを選択すると変更画面が表示され、指定番号欄に入力したデータ番号の登録データの変更を行うことができる。「追加」ボタンを選択すると追加画面が表示され、指定番号欄に入力したデータ番号に登録データの追加を行うことができる。「削除」ボタンを選択すると削除画面が表示され、指定番号欄に入力したデータ番号の登録データの削除を行うことができる。「送信」ボタンを選択すると、設定した内容をパチンコ機１の管理用ＩＣタグ２４へ送信することができる。また、「キャンセル」ボタンを選択すると、パチンコ機監視メニュー画面４０３ａへ戻る。
【０１０４】
次に、図２１を参照して、ＨＴ４００の表示パネル４０３に表示される監視設定メニューの変更画面４０３ｃについて説明する。この監視設定メニューの変更画面４０３ｃは、監視設定メニュー画面４０３ｂにおいて「変更」ボタンが選択された場合に表示され、監視設定メニュー画面４０３ｂでデータ番号の登録データの変更が行われる。
【０１０５】
図２１に示すように、画面最上部には「監視設定メニュー」と表示されており、その下には「変更画面」と表示されており、その下行にどのパチンコ機１の登録情報が表示されているのかを示す、台番号が「１０４」と表示されている。さらにその下行には、監視設定メニュー画面４０３ｂで入力された登録データの番号が表示されている。図２１に示す例では、「登録データ番号  ２」である。その下には、入力項目として位置特定符号欄、ＩＤコード欄及び間隔欄が設けられている。また、画面最下部には、「確認」ボタン及び「キャンセル」ボタンが設けられており、「確認」ボタンが選択されると、入力データがＨＴ４００に読み込まれる。「キャンセル」ボタンを押下すると、監視設定メニュー画面４０３ｂへ戻る。
【０１０６】
次に、図２２を参照して、ＨＴ４００のフラッシュメモリ４１４の登録情報記憶エリア４１４ａに記憶されている登録情報４１４１について説明する。この登録情報４１４１には、管理用ＩＣタグ２４を介してＲ／Ｗユニット３０から取得した登録情報３２１（図１３参照）がそのまま記憶される。図２２に示すように、登録情報４１４１には、登録情報３２１と同様にデータ番号欄４１４１ａ、位置特定符号欄４１４１ｂ、ＩＤコード欄４１４１ｃ及び監視間隔時間欄４１４１ｄが設けられている。
【０１０７】
図２２に示す例では、データ番号欄４１４１ａが「１」である登録データの位置特定符号欄４１４１ｂには「ＢＯＸ」、ＩＤコード欄４１４１ｃには「１５５７００１Ｈ」、監視間隔時間欄４１４１ｄには「３０００」ミリ秒が登録されている。尚、位置特定符号「ＢＯＸ」は基板ボックス８０を示している。また、データ番号欄４１４１ａが「２」である登録データの位置特定符号欄４１４１ｂには「ＤＡＩ」、ＩＤコード欄４１４１ｃには「００１１Ｎ２２１」、監視間隔時間欄４１４１ｄには「５０」ミリ秒が登録されている。尚、位置特定符号「ＤＡＩ」は大入賞口１６を示している。
【０１０８】
次に、図２３のフローチャートを参照して、監視設定処理について説明する。この監視設定処理は、ＨＴ４００のパチンコ機監視メニュー画面４０３ａで「監視設定」を選択し、パチンコ機選択画面でパチンコ機１の台番号を選択した際にＣＰＵ４１１が実施する。ここでは、パチンコ機１の管理用ＩＣタグ２４と通信することにより、Ｒ／Ｗユニット３０に記憶されている登録情報３２１を取得して、その設定を行い、設定後の登録情報を管理用ＩＣタグ２４を介してＲ／Ｗユニット３０へ返送する。
【０１０９】
まず、管理用ＩＣタグＩＤコード記憶エリア４１４ｃから、現在選択されている台番号のＩＤコードを取得し、そのＩＤコード及び依頼情報を含んだ呼出波を、ＲＦ回路４１０からアンテナ４０２を介して送信する（Ｓ８１）。パチンコ機１側では、管理用ＩＣタグ２４は依頼情報を含んだ呼出波を受信すると、Ｒ／Ｗユニット３０から登録情報を取得して、反射波に乗せて返送してくる。そこで、ＨＴ４００では、所定時間内に管理用ＩＣタグ２４から登録情報を含む反射波を受信したか否かを判定する（Ｓ８２）。ここで、所定時間は例えば１０ミリ秒とする。登録情報を含む反射波を受信していない場合には（Ｓ８２：ＮＯ）、エラー情報を含む反射波を受信したか否かを判定する（Ｓ８３）。エラー情報は、パチンコ機１に正規の鍵１２１が差し込まれておらず、認証状態となっていない場合及び呼出波に含めて送信されたＩＤコードが管理用ＩＣタグ２４のＥＥＰＲＯＭ２４ｃに記憶されているＩＤコードと一致しない場合に送信されてくるので、エラー情報を含む反射波を受信した場合には（Ｓ８３：ＹＥＳ）、エラー情報の内容に従い、「通信をしているパチンコ機が違います。台番号を確認して下さい。」等の登録情報を取得したいパチンコ機１とは異なるパチンコ機１の管理用ＩＣタグ２４と通信している旨を示すエラーメッセージや、「登録情報の取得には、鍵が必要です。」等のパチンコ機１が認証状態でないために、ＨＴ４００から送信された登録情報が、Ｒ／Ｗユニット３０に記憶されなかった旨を示すエラーメッセージを表示したエラー画面を表示して（Ｓ８４）、エラー画面中の「確認」ボタン（図示外）が選択されたら、本監視設定処理を終了する。エラー情報を含む反射波も受信していない場合には（Ｓ８３：ＮＯ）、ＨＴ４００と管理用ＩＣタグ２４との通信が正常に行われていないので、「管理用ＩＣタグと通信できませんでした。もう一度、行って下さい。」等の通信エラーメッセージを表示した通信エラー画面を表示して（Ｓ８５）、通信エラー画面中の「確認」ボタン（図示外）が選択されたら、本監視設定処理を終了する。
【０１１０】
Ｓ８２において、登録情報を含む反射波を受信した場合には（Ｓ８２：ＹＥＳ）、管理用ＩＣタグ２４と正常に通信が行われ、Ｒ／Ｗユニット３０に記憶されている登録情報３２１を取得することができたので、受信した登録情報をフラッシュメモリ４１４の登録情報記憶エリア４１４ａの登録情報４１４１に記憶し（Ｓ８６）、記憶した登録情報４１４１のデータを反映させた監視設定メニュー画面４０３ｂ（図２０参照）を表示する（Ｓ８７）。次いで、監視設定メニュー画面４０３ｂにおいて「キャンセル」ボタンが選択されたか否かを判定する（Ｓ８８）。「キャンセル」ボタンが選択された場合には（Ｓ８８：ＹＥＳ）、監視設定処理を終了する。
【０１１１】
「キャンセル」ボタンが選択されてない場合には（Ｓ８８：ＮＯ）、「送信」ボタンが選択されたか否かを判定する（Ｓ８９）。「送信」ボタンが選択されている場合には（Ｓ８９：ＹＥＳ）、管理用ＩＣタグＩＤコード記憶エリア４１４ｃから、現在選択されている台番号のＩＤコードを取得し、そのＩＤコード及び登録情報記憶エリア４１４ａに記憶されている登録情報４１４１を含む呼出波をＲＦ回路４１０からアンテナ４０２を介して送信し（Ｓ９０）、管理用ＩＣタグ２４から完了情報を含む反射波を受信したか否かを判定する（Ｓ９１）。この完了情報を含む反射波は、後述するＲ／Ｗユニット３０の送受信処理（図１７：Ｓ１４、図２９参照）において、登録情報をＥＥＰＲＯＭ３２の登録情報記憶エリアの登録情報３２１に記憶した後に、送信され（図２９：Ｓ４９，Ｓ５０参照）、管理用ＩＣタグ２４を介してＲＦ回路４１０のアンテナ４０２が受信する。完了情報を含む反射波を受信した場合には（Ｓ９１：ＹＥＳ）、登録完了画面（図示外）を表示する（Ｓ９２）。この登録完了画面には、「正常に登録情報を記憶できました。」等の送信した登録情報がパチンコ機１のＲ／Ｗユニット３０に記憶できた旨を示すメッセージ及び「確認」ボタンが表示されている。そこで、「確認」ボタンが選択されたら、処理を終了する。尚、登録情報４１４１に記憶されている情報は、「確認」ボタンが選択された時点で、消去される。
【０１１２】
完了情報を含む反射波を受信しない場合には（Ｓ９１：ＮＯ）、エラー情報を含む反射波を受信したか否かを判定する（Ｓ９３）。エラー情報は、パチンコ機１に正規の鍵１２１が差し込まれておらず、認証状態となっていない場合及び呼出波に含めて送信されたＩＤコードが管理用ＩＣタグ２４のＥＥＰＲＯＭ２４ｃに記憶されているＩＤコードと一致しない場合に送信されてくる。そこで、エラー情報を含む反射波を受信した場合には（Ｓ９３：ＹＥＳ）、エラー情報の内容に従い、「通信をしているパチンコ機が違います。台番号を確認して下さい。」等の登録情報を取得したいパチンコ機１とは異なるパチンコ機１の管理用ＩＣタグ２４と通信している旨を示すエラーメッセージや、「登録できませんでした。登録には鍵が必要です。」等のパチンコ機１が認証状態でないために、ＨＴ４００から送信された登録情報が、Ｒ／Ｗユニット３０に記憶されなかった旨を示すメッセージを表示したエラー画面（図示外）を表示して（Ｓ９４）、エラー画面中の「確認」ボタン（図示外）が選択されたら、処理を終了する。
【０１１３】
エラー情報を含む反射波も受信しなかった場合には（Ｓ９３：ＮＯ）、ＨＴ４００と管理用ＩＣタグ２４との通信が正常に行われていないので、通信エラー画面を表示する（Ｓ９５）。この通信エラー画面には、「パチンコ機との通信が正常に行われませんでした。再度、送信処理を行って下さい。」等のＨＴ４００と管理用ＩＣタグ２４との通信が正常に行えず、登録が完了していない旨を示すメッセージ及び「確認」ボタンが表示されている。そこで、「確認」ボタンが選択されたら、処理を終了する。
【０１１４】
さらに、Ｓ８９にて、「送信」ボタンが選択されていない場合には（Ｓ８９：ＮＯ）、「変更」ボタンが選択されたか否かを判定する（Ｓ９６）。「変更」ボタンが選択された場合には（Ｓ９６：ＹＥＳ）、指定番号欄に入力されているデータ番号の登録データ監視設定メニューの変更画面４０３ｃ（図２１参照）を表示する（Ｓ９７）。そして、監視設定メニューの変更画面４０３ｃへ入力されたデータの読み込みを行って、変更データを登録情報４１４１へ記憶し（Ｓ９８）、Ｓ８７へ戻り、登録情報４１４１のデータを反映させた監視設定メニュー画面４０３ｂを表示する（Ｓ８７）。
【０１１５】
Ｓ９６にて、「変更」ボタンが選択されていない場合には（Ｓ９６：ＮＯ）、「追加」ボタンが選択されたか否かを判定する（Ｓ１０２）。「追加」ボタンが選択された場合には（Ｓ１０２：ＹＥＳ）、指定番号欄に入力されているデータ番号の登録データ監視設定メニュー追加画面（図示外）を表示する（Ｓ１０３）。この監視設定メニュー追加画面では、入力項目として位置特定符号欄、ＩＤコード欄及び間隔欄、「確認」ボタン及び「キャンセル」ボタンが設けられている。「確認」ボタンが選択されたら、監視設定メニュー追加画面へ入力されたデータの読み込みを行って、追加データを登録情報４１４１へ記憶し（Ｓ１０４）、Ｓ８７へ戻り、登録情報４１４１のデータを反映させた監視設定メニュー画面４０３ｂを表示する（Ｓ８７）。
【０１１６】
Ｓ１０２にて、「追加」ボタンが選択されていない場合には（Ｓ１０２：ＮＯ）、「削除」ボタンが選択されているか否かを判定する（Ｓ１０８）。「追加」ボタンが選択されている場合には（Ｓ１０８：ＹＥＳ）、指定番号欄に入力されているデータ番号の登録データを登録情報４１４１から削除し（Ｓ１０９）、Ｓ８７へ戻り、登録情報４１４１のデータを反映させた監視設定メニュー画面４０３ｂを表示する（Ｓ８７）。Ｓ８７にて、「削除」ボタンが選択されていない場合には（Ｓ１０８：ＮＯ）、何もせずにＳ８７へ戻る。そして、「キャンセル」ボタンが選択される（Ｓ８８：ＹＥＳ）か、又は、「送信」ボタンが選択され（Ｓ８９：ＹＥＳ）、Ｓ９０〜Ｓ９５の処理を行ったら、本監視設定処理を終了する。
【０１１７】
次に、図２４を参照して、ＨＴ４００の表示パネル４０３に表示される認証設定メニュー画面４０３ｄについて説明する。この監視設定メニュー画面４０３ｂは、パチンコ機監視メニュー画面４０３ａにおいて、「認証設定」ボタンを選択し、パチンコ機選択画面でパチンコ機１の台番号を選択して、その後パスワード入力を行い、パスワードが予めＨＴ４００に記憶されているものと一致し、選択したパチンコ機１に備えられている管理用ＩＣタグ２４と正常に通信が行われた場合に表示され、通信を行った管理用ＩＣタグ２４が備えられているパチンコ機１のＲ／Ｗユニット３０に記憶されている認証用登録情報３２２の設定を行うことができる。
【０１１８】
図２４に示すように、画面最上部には「認証設定メニュー」と表示されている。そして、その下行にどのパチンコ機１の登録情報が表示されているのかを示す、台番号が「１０４」と表示されている。その下には、認証用登録情報４１４２の内容を示す表が表示されている。この表にはデータ番号欄及びＩＤコード欄が設けられている。図２４に示す例では、データ番号「１」には「１６１７４０９８」、データ番号「２」には「ＦＴ１７６４９５」、データ番号「３」には「０００８３０８２」が表示されており、データ番号「４」〜「８」には何も表示されていない。さらに、表の右下には入力項目として指定番号欄が設けられており、画面最下部には、「変更」ボタン、「追加」ボタン、「削除」ボタン、「送信」ボタン及び「キャンセル」ボタンが設けられている。ＨＴ４００の操作者は、指定番号欄に変更、追加、又は削除を行うデータ番号を入力キー４０４及び４０５を使用して入力する。そして、「変更」ボタンを選択すると変更画面が表示され、指定番号欄に入力したデータ番号の認証用登録データの変更を行うことができる。「追加」ボタンを選択すると追加画面が表示され、指定番号欄に入力したデータ番号に認証用登録データの追加を行うことができる。「削除」ボタンを選択すると削除画面が表示され、指定番号欄に入力したデータ番号の登録データの削除を行うことができる。「送信」ボタンを選択すると、設定した内容をパチンコ機１の管理用ＩＣタグ２４へ送信することができる。また、「キャンセル」ボタンを選択すると、パチンコ機監視メニュー画面４０３ａへ戻る。
【０１１９】
次に、図２５を参照して、ＨＴ４００の表示パネル４０３に表示される認証設定メニュー画面の追加画面４０３ｅについて説明する。この追加画面４０３ｅは、認証設定メニュー画面４０３ｄにおいて「追加」ボタンが選択された場合に表示され、認証設定メニュー画面４０３ｄでデータ番号の登録データの追加が行われる。
【０１２０】
図２５に示すように、画面最上部には「認証設定メニュー」と表示されており、その下は「追加画面」と表示されており、その下行にどのパチンコ機１の登録情報が表示されているのかを示す、台番号が「１０４」と表示されている。さらにその下行には、認証設定メニュー画面４０３ｄで入力された認証用登録データの番号が表示されている。図２１に示す例では、「認証用登録データ番号  ４」である。その下には、入力項目として追加ＩＤコード欄が設けられている。また、画面最下部には、「確認」ボタン及び「キャンセル」ボタンが設けられており、「確認」ボタンが選択されると、入力データがＨＴ４００に読み込まれ、認証設定メニュー画面４０３ｄへ戻る。尚、認証設定メニュー画面４０３ｄへ戻った際には、追加した認証用登録データが反映されている。「キャンセル」ボタンを押下すると、認証用登録情報４１４２の内容にはなんら変化を与えず、認証設定メニュー画面４０３ｄへ戻る。
【０１２１】
次に、図２６を参照して、ＨＴ４００のフラッシュメモリ４１４の認証用登録情報記憶エリア４１４ｂに記憶されている認証用登録情報４１４２について説明する。この認証用登録情報４１４２には、管理用ＩＣタグ２４を介してＲ／Ｗユニット３０から取得した認証用登録情報３２２がそのまま記憶される。図２６に示すように、認証用登録情報４１４２には、ＩＤコード１欄、ＩＤコード２欄、ＩＤコード３欄、ＩＤコード４欄、ＩＤコード５欄、ＩＤコード６欄、ＩＤコード７欄、ＩＤコード８欄の８つの欄が設けられている。
【０１２２】
図２６に示す例では、ＩＤコード１欄には「１６１７４０９８」、Ｉ、ＩＤコード２欄には「ＦＴ１７６４９５」、ＩＤコード３欄には「０００８３０８２」が登録されており、ＩＤコード４欄、ＩＤコード５欄、ＩＤコード６欄、ＩＤコード７欄及びＩＤコード８欄には登録されていない。
【０１２３】
次に、図２７のフローチャートを参照して、認証設定処理について説明する。この認証設定処理は、ＨＴ４００のパチンコ機監視メニュー画面４０３ａで「認証設定」を選択し、パチンコ機選択画面でパチンコ機１の台番号を選択した際に実施され、管理用ＩＣタグ２４を介してＲ／Ｗユニット３０から認証用登録情報を取得し、設定を行い、設定後の認証用登録情報を管理用ＩＣタグ２４を介してＲ／Ｗユニット３０へ返送する。
【０１２４】
まず、パスワード入力画面（図示外）が表示される（Ｓ１１９）。このパスワード入力画面には、パスワード入力欄、「確認」ボタン及び「キャンセル」ボタンが設けられているので、操作者は入力キー４０４，４０５を操作してパスワードを入力し、「確認」ボタンを選択する。操作を中止する場合には「キャンセル」ボタンを選択する。まず、「キャンセル」ボタンが選択されたか否かを判定する（Ｓ１２０）。「キャンセル」ボタンが選択された場合には（Ｓ１２０：ＹＥＳ）、本認証設定処理を終了し、パチンコ機監視メニュー画面４０３ａへ戻る。「キャンセル」ボタンが選択されていない場合には（Ｓ１２０：ＮＯ）、「確認」ボタンが選択されたか否かを判定する（Ｓ１２１）。「確認」ボタンが選択されていない場合には（Ｓ１２１：ＮＯ）、Ｓ１２０へ戻り、操作者のボタン選択の判定を繰り返す。「確認」ボタンが選択されている場合には（Ｓ１２１：ＹＥＳ）、パスワード入力欄に入力されているパスワードが予めＨＴ４００のフラッシュメモリ４１４のパスワード記憶エリア（図示外）に記憶されているパスワードと一致するか否かを判定し（Ｓ１２２）、パスワードが一致しない場合には（Ｓ１２２：ＮＯ）、Ｓ１１９へ戻り、パスワード入力画面を表示する（Ｓ１１９）。尚、このパスワードが「特定情報」に相当する。
【０１２５】
パスワードが一致する場合には（Ｓ１２２：ＹＥＳ）、管理用ＩＣタグＩＤコード記憶エリア４１４ｃから、現在選択されている台番号のＩＤコードを取得し、そのＩＤコード及び認証用登録情報の送信を依頼する依頼情報を含む呼出波を、ＲＦ回路４１０からアンテナ４０２を介して送信する（Ｓ１２３）。パチンコ機１側では、管理用ＩＣタグ２４は認証用依頼情報を含む呼出波を受信すると、Ｒ／Ｗユニット３０から認証用登録情報を取得して、反射波に載せて返送してくる。そこで、ＨＴ４００では、アンテナ４０２が所定時間内に認証用登録情報を含む反射波を受信したか否かを判定する（Ｓ１２４）。ここで、所定時間は例えば１０ミリ秒とする。所定時間内に認証用登録情報を含む反射波を受信していない場合には（Ｓ１２４：ＮＯ）、アンテナ４０２がエラー情報を含む反射波を受信したか否かを判定する（Ｓ１２５）。管理用ＩＣタグ２４は、ＨＴ４００送信された呼出波に認証用依頼情報と一緒に含まれていたＩＤコードが、自身のＥＥＰＲＯＭ２４ｃに記憶されているＩＤコードと一致しない場合には、ＨＴ４００が認証用登録情報を取得しようとしているパチンコ機１と異なるパチンコ機１と通信をしていることを示すエラー情報を含む反射波をアンテナ２４ｂから送信してくる。そこで、エラー情報を含む反射波を受信した場合には（Ｓ１２５：ＹＥＳ）、「通信しているパチンコ機が違います。台番号を確認して下さい。」等の異なるパチンコ機１と通信している旨を示すエラーメッセージのエラー画面を表示し（Ｓ１２６）、エラー画面上の「確認」ボタンが選択されたら、Ｓ１１９へ戻る。また、エラー情報を含む反射波も受信していない場合には（Ｓ１２５：ＮＯ）、ＨＴ４００とパチンコ機１の管理用ＩＣタグ２４が正常に通信を行えていないということなので、「パチンコ機から認証用登録情報を取得できませんでした。もう一度、取得処理を行って下さい。」等のパチンコ機１のＲ／Ｗユニット３０から認証用登録情報を取得できなかった旨を示すエラーメッセージのエラー画面を表示し（Ｓ１２７）、エラー画面上の「確認」ボタンが選択されたら、Ｓ１１９へ戻る。
【０１２６】
所定時間内に認証用登録情報を受信した場合には（Ｓ１２４：ＹＥＳ）、受信した認証用登録情報をフラッシュメモリ４１４の認証用登録情報記憶エリア４１４ｂの認証用登録情報４１４２（図２６参照）へ記憶し（Ｓ１２８）、記憶した認証用登録情報４１４２を反映させた認証設定メニュー画面４０３ｄ（図２４参照）を表示する（Ｓ１２９）。
【０１２７】
そして、「キャンセル」ボタンが選択されたか否かを判定する（Ｓ１３０）。「キャンセル」ボタンが選択されている場合には（Ｓ１３０：ＹＥＳ）、処理を終了し、「キャンセル」ボタンが選択されていない場合には（Ｓ１３０：ＮＯ）、「送信」ボタンが選択されているか否かを判定する（Ｓ１３１）。「送信」ボタンが選択されている場合には（Ｓ１３１：ＹＥＳ）、管理用ＩＣタグＩＤコード記憶エリア４１４ｃから、現在選択されている台番号のＩＤコードを取得し、そのＩＤコード及びフラッシュメモリ４１４の認証用登録情報記憶エリア４１４ｂに記憶されている認証用登録情報４１４２を含む呼出波をＲＦ回路４１０からアンテナ４０２を介して送信する（Ｓ１３２）。次いで、完了情報を含む反射波を受信したか否かを判定する（Ｓ１３３）。この完了情報は、後述するＲ／Ｗユニット３０の送受信処理（図１７：Ｓ１４、図２９参照）において、認証用登録情報をＥＥＰＲＯＭ３２の認証用登録情報記憶エリアの認証用登録情報３２２に記憶した後に、送信され（図２９：Ｓ５３，Ｓ５４）、管理用ＩＣタグ２４を介してＲＦ回路４１０のアンテナ４０２が受信する。完了情報を含む反射波を受信した場合には（Ｓ１３３：ＹＥＳ）、登録完了画面（図示外）を表示する（Ｓ１３４）。この登録完了画面には、「正常に認証用登録情報を記憶できました。」等の送信した認証用登録情報がパチンコ機１のＲ／Ｗユニット３０に記憶できた旨を示すメッセージ及び「確認」ボタンが表示されている。そこで、「確認」ボタンが選択されたら、処理を終了する。尚、認証用登録情報４１４２に記憶されている情報は、「確認」ボタンが選択された時点で、消去される。
【０１２８】
完了情報を含む反射波を受信しない場合には（Ｓ１３３：ＮＯ）、アンテナ４０２がエラー情報を含む反射波を受信したか否かを判定する（Ｓ１３５）。管理用ＩＣタグ２４は、ＨＴ４００送信された呼出波に認証用登録情報と一緒に含まれていたＩＤコードが、自身のＥＥＰＲＯＭ２４ｃに記憶されているＩＤコードと一致しない場合には、ＨＴ４００が認証用登録情報を送信しようとしているパチンコ機１と異なるパチンコ機１と通信をしていることを示すエラー情報を含む反射波をアンテナ２４ｂから送信してくる。そこで、エラー情報を含む反射波を受信した場合には（Ｓ１３５：ＹＥＳ）、異なるパチンコ機１と通信している旨を示すエラーメッセージのエラー画面を表示し（Ｓ１３６）、エラー画面上の「確認」ボタンが選択されたら、処理を終了する。また、エラー情報を含む反射波も受信していない場合には（Ｓ１３５：ＮＯ）、ＨＴ４００とパチンコ機１の管理用ＩＣタグ２４が正常に通信を行えていないということなので、通信エラー画面を表示する（Ｓ１３７）。この通信エラー画面には、「パチンコ機との通信が正常に行われませんでした。再度、送信処理を行って下さい。」等のＨＴ４００と管理用ＩＣタグ２４との通信が正常に行えず、登録が完了していない旨を示すメッセージ及び「確認」ボタンが表示されている。そこで、「確認」ボタンが選択されたら、処理を終了する。
【０１２９】
「送信」ボタンが選択されていない場合には（Ｓ１３１：ＮＯ）、「変更」ボタンが選択されているか否かを判定する（Ｓ１３８）。「変更」ボタンが選択された場合には（Ｓ１３８：ＹＥＳ）、認証設定メニューの変更画面（図示外）を表示する（Ｓ１３９）。この認証設定メニュー変更画面では、認証設定メニュー画面４０３ｄで入力されたデータ番号が表示されており、入力項目としてＩＤコード欄、「確認」ボタン及び「キャンセル」ボタンが設けられている。「キャンセル」ボタンが選択されると、処理を終了し、「確認」ボタンが選択されると、入力データの読み込みを行って、変更データを登録情報４１４１へ記憶し（Ｓ１４０）、Ｓ１２９へ戻り、認証用登録情報４１４２のデータを反映させた監視設定メニュー画面４０３ｂを表示する（Ｓ１２９）。
【０１３０】
Ｓ１３８にて、「変更」ボタンが選択されていない場合には（Ｓ１３８：ＮＯ）、「追加」ボタンが選択されたか否かを判定する（Ｓ１４２）。「追加」ボタンが選択された場合には（Ｓ１４２：ＹＥＳ）、追加画面４０３ｅ（図２５参照）を表示する（Ｓ１４３）。追加画面４０３ｅにおいて、「確認」ボタンが選択されたら入力データの読み込みを行って、追加データを認証用登録情報４１４２へ記憶し（Ｓ１４４）、Ｓ１２９へ戻り、認証用登録情報４１４２のデータを反映させた認証設定メニュー画面４０３ｄを表示する（Ｓ１２９）。
【０１３１】
Ｓ１４２にて、「追加」ボタンが選択されていない場合には（Ｓ１４２：ＮＯ）、「削除」ボタンが選択されているか否かを判定する（Ｓ１４５）。「削除」ボタンが選択されている場合には（Ｓ１４５：ＹＥＳ）、削除データを登録情報４１４１から削除し（Ｓ１４６）、Ｓ１２９へ戻り、認証用登録情報４１４２のデータを反映させた認証設定メニュー画面４０３ｄを表示する（Ｓ１２９）。Ｓ１４５にて、「削除」ボタンが選択されていない場合には（Ｓ１４５：ＮＯ）、何もせずにＳ１２９へ戻る。そして、「キャンセル」ボタンが選択される（Ｓ１３０：ＹＥＳ）か、又は、「送信」ボタンが選択され（Ｓ１３１：ＹＥＳ）、Ｓ１３２〜Ｓ１３５の処理を行ったら、本監視設定処理を終了する。
【０１３２】
次に、図２８のフローチャートを参照して、管理用ＩＣタグ２４で行われる管理用ＩＣタグ送受信処理について説明する。この管理用ＩＣタグ送受信処理は、管理用ＩＣタグ２４のＣＰＵ２４ｆで実行されている。
【０１３３】
まず、アンテナ２４ｂがＨＴ４００から依頼情報を含む呼出波を受信したか否かを判定する（Ｓ１５０）。依頼情報を含む呼出波を受信した場合には（Ｓ１５０：ＹＥＳ）、ＨＴ４００から登録情報３２１の送信が要求されているが、自身が設置されているパチンコ機１の登録情報をＨＴ４００が依頼しているのかを確認するために、依頼情報と共に呼出波に含まれているＩＤコードが、ＥＥＰＲＯＭ２４ｃに記憶されているＩＤコードと一致しているか否かを判定する（Ｓ１５１）。ＩＤコードが一致していない場合には（Ｓ１５１：ＮＯ）、この管理用ＩＣタグ２４はＨＴ４００が登録情報を取得しようとしているパチンコ機１に備えられている管理用ＩＣタグ２４でないことを意味するので、異なるパチンコ機１と通信していることを示すエラー情報を含む反射波をアンテナ２４ｂから送信し（Ｓ１５３）、Ｓ１５０へ戻る。ＩＤコードが一致してる場合には（Ｓ１５１：ＹＥＳ）、ＨＴ４００が登録情報を取得しようとしているパチンコ機１に備えられた管理用ＩＣタグ２４と通信をしているということとなるので、Ｒ／Ｗユニット３０へ要求を伝えるために、Ｒ／Ｗユニット３０へケーブル２４ｋを介して依頼情報を送信し（Ｓ１５２）、Ｓ１５０へ戻る。
【０１３４】
依頼情報を含む呼出波を受信していない場合には（Ｓ１５０：ＮＯ）、アンテナ２４ｂがＨＴ４００から認証用依頼情報を含む呼出波を受信したか否かを判定する（Ｓ１５４）。認証用依頼情報を含む呼出波を受信した場合には（Ｓ１５４：ＹＥＳ）、ＨＴ４００から認証用登録情報３２２の送信が要求されているが、自身が設置されているパチンコ機１の認証用登録情報をＨＴ４００が依頼しているのかを確認するために、認証用依頼情報と共に呼出波に含まれているＩＤコードが、ＥＥＰＲＯＭ２４ｃに記憶されているＩＤコードと一致しているか否かを判定する（Ｓ１５５）。ＩＤコードが一致していない場合には（Ｓ１５５：ＮＯ）、この管理用ＩＣタグ２４はＨＴ４００が認証用登録情報を取得しようとしているパチンコ機１に備えられている管理用ＩＣタグ２４でないことを意味するので、異なるパチンコ機１と通信していることを示すエラー情報を含む反射波をアンテナ２４ｂから送信し（Ｓ１５７）、Ｓ１５０へ戻る。ＩＤコードが一致している場合には（Ｓ１５５：ＹＥＳ）、ＨＴ４００が認証用登録情報を取得しようとしているパチンコ機１に備えられた管理用ＩＣタグ２４と通信をしているということとなるので、Ｒ／Ｗユニット３０へ要求を伝えるために、Ｒ／Ｗユニット３０へケーブル２４ｋを介して認証用依頼情報を送信し（Ｓ１５６）、Ｓ１５０へ戻る。
【０１３５】
認証用依頼情報を含む呼出波を受信していない場合には（Ｓ１５４：ＮＯ）、Ｒ／Ｗユニット３０からケーブル２４ｋを介して登録情報を受信したか否かを判定する（Ｓ１５８）。登録情報を受信した場合には（Ｓ１５８：ＹＥＳ）、Ｒ／Ｗユニット３０が登録情報３２１を引き渡すと判断し、ＨＴ４００へ登録情報３２１を送信するために登録情報３２１を送信してきたので、受信した登録情報を含む反射波をアンテナ２４ｂから送信し（Ｓ１５９）、Ｓ１５０へ戻る。登録情報を受信していない場合には（Ｓ１５８：ＮＯ）、Ｒ／Ｗユニット３０からケーブル２４ｋを介して認証用登録情報を受信したか否かを判定する（Ｓ１６０）。認証用登録情報を受信した場合には（Ｓ１６０：ＹＥＳ）、Ｒ／Ｗユニット３０がＨＴ４００へ認証用登録情報３２２を送信するために認証用登録情報３２２を送信してきたので、受信した認証用登録情報を含む反射波をアンテナ２４ｂから送信し（Ｓ１６１）、Ｓ１５０へ戻る。
【０１３６】
認証用登録情報を受信していない場合には（Ｓ１６０：ＮＯ）、アンテナ２４ｂがＨＴ４００から登録情報を含む呼出波を受信したか否かを判定する（Ｓ１６２）。登録情報を含む呼出波を受信した場合には（Ｓ１６２：ＹＥＳ）、ＨＴ４００で設定された登録情報４１４１が、Ｒ／Ｗユニット３０へ記憶させるために送信されてきているが、自身が設置されているパチンコ機１が、登録情報を記憶するパチンコ機１であるかを確認するために、登録情報と共に呼出波に含まれているＩＤコードが、ＥＥＰＲＯＭ２４ｃに記憶されているＩＤコードと一致しているか否かを判定する（Ｓ１６３）。ＩＤコードが一致していない場合には（Ｓ１６３：ＮＯ）、この管理用ＩＣタグ２４はＨＴ４００が登録情報を記憶させようとしているパチンコ機１に備えられている管理用ＩＣタグ２４でないことを意味するので、異なるパチンコ機１と通信していることを示すエラー情報を含む反射波をアンテナ２４ｂから送信し（Ｓ１６５）、Ｓ１５０へ戻る。
【０１３７】
ＩＤコードが一致している場合には、（Ｓ１６３：ＹＥＳ）、受信した登録情報をパチンコ機１のＲ／Ｗユニット３０に記憶させるために、Ｒ／Ｗユニット３０へ受信した登録情報を送信して（Ｓ１６４）、Ｓ１５０へ戻る。登録情報を含む呼出波を受信していない場合には（Ｓ１６２：ＮＯ）、認証用登録情報を含む呼出波を受信したか否かを判定する（Ｓ１６６）。認証用登録情報を含む呼出波を受信した場合には（Ｓ１６６：ＹＥＳ）、ＨＴ４００で設定された認証用登録情報４１４２が、Ｒ／Ｗユニット３０へ記憶させるために送信されてきているが、自身が設置されているパチンコ機１へ認証用登録情報を記憶するのかを確認するために、認証用登録情報と共に呼出波に含まれているＩＤコードが、ＥＥＰＲＯＭ２４ｃに記憶されているＩＤコードと一致しているか否かを判定する（Ｓ１６７）。ＩＤコードが一致していない場合には（Ｓ１６７：ＮＯ）、この管理用ＩＣタグ２４が認証用登録情報を記憶するパチンコ機１に備えられている管理用ＩＣタグ２４でないことを意味するので、異なるパチンコ機１と通信していることを示すエラー情報を含む反射波をアンテナ２４ｂから送信し（Ｓ１６９）、Ｓ１５０へ戻る。ＩＤコードが一致している場合には（Ｓ１６７：ＹＥＳ）、受信した認証用登録情報をパチンコ機１のＲ／Ｗユニット３０に記憶させるために、Ｒ／Ｗユニット３０へ受信した認証用登録情報を送信し（Ｓ１６８）、Ｓ１５０へ戻る。
【０１３８】
認証用登録情報を含む呼出波を受信していない場合には（Ｓ１６６：ＮＯ）、Ｒ／Ｗユニット３０からケーブル２４ｋを介して完了情報を受信したか否かを判定する（Ｓ１７０）。完了情報を受信した場合には（Ｓ１７０：ＹＥＳ）、Ｒ／Ｗユニット３０にて登録情報３２１又は認証用登録情報３２２の記憶が正常に完了しているので、受信した完了情報を含む反射波をアンテナ２４ｂからＨＴ４００へ送信し（Ｓ１７１）、Ｓ１５０へ戻る。完了情報を受信していない場合には（Ｓ１７０：ＮＯ）、Ｒ／Ｗユニット３０からケーブル２４ｋを介してエラー情報を受信したか否かを判定する（Ｓ１７２）。エラー情報を受信した場合には（Ｓ１７２：ＹＥＳ）、Ｒ／Ｗユニット３０がパチンコ機１が認証状態でないと判断してエラー情報を送信してきたので、受信したエラー情報を含む反射波をアンテナ２４ｂから送信し（Ｓ１７３）、Ｓ１５０へ戻る。エラー情報を受信していない場合には（Ｓ１７２：ＮＯ）、何もせずにＳ１５０へ戻る。以上の処理を繰り返し実施することにより、管理用ＩＣタグ送受信処理を継続して行うことができる。
【０１３９】
次に、図２９のフローチャートを参照して、Ｒ／Ｗユニット３０のメイン処理で行われる送受信処理（図１７：Ｓ１４）について説明する。このメイン処理は、図１７に示すＲ／Ｗユニット３０のメイン処理中で実施される。
【０１４０】
まず、管理用ＩＣタグ２４から依頼情報を実施したか否かを判定する（Ｓ４１）。依頼情報を受信した場合には（Ｓ４１：ＹＥＳ）、ＨＴ４００から登録情報３２１の送信を依頼されている。登録情報３２１の設定を行うために、ＨＴ４００がＲ／Ｗユニット３０から登録情報３２１を取得できるのは、パチンコ機１が認証状態である場合にのみである。そこで、認証フラグに「１」がセットされ「ＯＮ」となっているか否かにより、パチンコ機１が認証状態である否かを判定する（Ｓ４２）。この認証フラグは、メイン処理のＳ９〜Ｓ１３においてパチンコ機１が認証中であるか否かの認証判断が行われ、認証状態であると判断された場合には「１」がセットされて「ＯＮ」となっており、認証情報でないと判断された場合には「０」がセットされて「ＯＦＦ」となっている。認証フラグが「ＯＮ」であり、パチンコ機１が認証状態である場合には（Ｓ４２：ＹＥＳ）、ＥＥＰＲＯＭ３２の登録情報記憶エリアに記憶されている登録情報３２１を管理用ＩＣタグ２４へ送信し（Ｓ４３）、処理を終了する。認証フラグが「ＯＮ」でない場合には（Ｓ４２：ＮＯ）、認証状態でないことを示すエラー情報を管理用ＩＣタグ２４へ送信し（Ｓ４４）、処理を終了する。
【０１４１】
Ｓ４１において、依頼情報を実施していない場合には（Ｓ４１：ＮＯ）、管理用ＩＣタグ２４から認証用依頼情報を受信したか否かを判定する（Ｓ４５）。認証用依頼情報を受信した場合には（Ｓ４５：ＹＥＳ）、ＨＴ４００から認証用登録情報３２２の送信を依頼されている。ＥＥＰＲＯＭ３２の認証用登録情報記憶エリアに記憶されている認証用登録情報３２２を管理用ＩＣタグ２４へ送信し（Ｓ４６）、処理を終了する。
【０１４２】
認証用依頼情報を受信していない場合には（Ｓ４５：ＮＯ）、管理用ＩＣタグ２４から登録情報を受信したか否かを判定する（Ｓ４７）。登録情報を受信した場合には（Ｓ４７：ＹＥＳ）、ＨＴ４００で設定された登録情報が送信されてきている。受信した登録情報をＥＥＰＲＯＭ３２の登録情報記憶エリアの登録情報３２１に記憶できるのは、パチンコ機１が認証状態である場合のみである。そこで、認証フラグに「１」がセットされ「ＯＮ」となっているか否かにより、パチンコ機１が認証状態であるか否かを判定する（Ｓ４８）。認証フラグが「ＯＮ」である場合には（Ｓ４８：ＹＥＳ）、認証状態となっているので、受信した登録情報をＥＥＰＲＯＭ３２の登録情報記憶エリアに記憶されている登録情報３２１に記憶し（Ｓ４９）、登録情報の記憶が完了したことを示す完了情報を管理用ＩＣタグ２４へ送信して（Ｓ５０）、処理を終了する。認証フラグが「ＯＮ」でない場合には（Ｓ４８：ＮＯ）、認証状態でないことを示すエラー情報を管理用ＩＣタグ２４へ送信し（Ｓ５１）、処理を終了する。
【０１４３】
Ｓ４７において、登録情報を受信していない場合には（Ｓ４７：ＮＯ）、認証用登録情報を受信したか否かを判定する（Ｓ５２）。認証用登録情報を受信した場合には（Ｓ５２：ＹＥＳ）、ＨＴ４００で設定された認証用登録情報が送信されてきている。受信した認証用登録情報をＥＥＰＲＯＭ３２の認証用登録情報記憶エリアに記憶されている認証用登録情報３２２に記憶し（Ｓ５３）、認証用登録情報の記憶が完了したことを示す完了情報を管理用ＩＣタグ２４へ送信して（Ｓ５４）、処理を終了する。認証用登録情報を受信していない場合には（Ｓ５２：ＮＯ）、処理を終了する。
【０１４４】
６．監視設定及び認証設定の動作における変形例の説明
５．監視設定及び認証設定の動作の説明では、パチンコ機１が認証情報であるか否かの判断をＲ／Ｗユニット３０において、送受信処理の中で行っている。しかし、この認証状態であるか否かの判断は、Ｒ／Ｗユニット３０でなく管理用ＩＣタグ２４において行っても、同様の効果が得られる。そこで、図３０及び図３１のフローチャートを参照して、認証状態であるか否かの判断を管理用ＩＣタグ２４で行うパターンの動作の説明を行う。図３０は、管理用ＩＣタグ２４で行われる管理用ＩＣタグ送受信処理（認証判断実施）の変形例のフローチャートである。図３１は、Ｒ／Ｗユニット３０のメイン処理で行われる送受信処理の変形例のフローチャートである。
【０１４５】
まず、図３０のフローチャートを参照して、管理用ＩＣタグ２４で行われる管理用ＩＣタグ送受信処理（認証判断実施）の変形例について説明する。この管理用ＩＣタグ送受信処理は、管理用ＩＣタグ２４のＣＰＵ２４ｆで実行されている。尚、認証判定を行うためには、パチンコ機１が認証状態であるか否かの情報を有していなければならない。そこで、Ｒ／Ｗユニット３０はメイン処理（図１７参照）において、鍵穴１２０に認証用ＩＣタグ１２６が差し込まれており、認証状態であると判断されて、認証フラグに「１」をセットし「ＯＮ」として、認証状態とした（図１７：Ｓ１２）後に、「認証状態ＯＮ」を示す判定結果を管理用ＩＣタグ２４へ送信し、認証状態でないと判断され、認証フラグに「０」をセットし「ＯＦＦ」として、否認証状態とした（図１７：Ｓ１３）後に、「認証状態ＯＦＦ」を示す判定結果を送信する。管理用ＩＣタグ２４では、受信した判定結果が「認証状態ＯＮ」を示すものである場合には、管理用ＩＣタグ２４の認証フラグに「１」をセットし「ＯＮ」として、認証状態とし、受信した判定結果が「認証状態ＯＮ」を示すものでない場合には、管理用ＩＣタグ２４の認証フラグに「０」をセットし「ＯＦＦ」として、否認証状態としている。
【０１４６】
まず、アンテナ２４ｂがＨＴ４００から依頼情報を含む呼出波を受信したか否かを判定する（Ｓ２０１）。依頼情報を含む呼出波を受信した場合には（Ｓ２０１：ＹＥＳ）、ＨＴ４００から登録情報３２１の送信を要求されているが、自身が設置されているパチンコ機１の登録情報をＨＴ４００が依頼しているのかを確認するために、依頼情報と共に呼出波に含まれているＩＤコードが、ＥＥＰＲＯＭ２４ｃに記憶されているＩＤコードと一致しているか否かを判定する（Ｓ２０２）。ＩＤコードが一致していない場合には（Ｓ２０２：ＮＯ）、この管理用ＩＣタグ２４はＨＴ４００が登録情報を取得しようとしているパチンコ機１に備えられている管理用ＩＣタグ２４でないことを意味するので、異なるパチンコ機１と通信していることを示すエラー情報を含む反射波をアンテナ２４ｂから送信し（Ｓ２０３）、Ｓ２０１へ戻る。
【０１４７】
ＩＤコードが一致してる場合には（Ｓ２０２：ＹＥＳ）、ＨＴ４００が登録情報を取得しようとしているパチンコ機１に備えられた管理用ＩＣタグ２４と通信をしているということとなる。しかし、登録情報３２１の設定はパチンコ機１が認証状態である場合にしか行うことはできないので、パチンコ機１が認証状態である場合のみ、登録情報を含む反射波をアンテナ２４ｂから送信することができる。そこで、管理用ＩＣタグ２４の認証フラグが「ＯＮ」であるか否かにより、パチンコ機１が認証状態であるか否かを判定する（Ｓ２０４）。管理用ＩＣタグ２４の認証フラグが「ＯＮ」である場合には（Ｓ２０４：ＹＥＳ）、パチンコ機１が認証状態となっているので、Ｒ／Ｗユニット３０へ要求を伝えるために、Ｒ／Ｗユニット３０へケーブル２４ｋを介して依頼情報を送信し（Ｓ２０５）、Ｓ２０１へ戻る。管理用ＩＣタグ２４の認証フラグが「ＯＮ」となっていない場合には（Ｓ２０４：ＮＯ）、パチンコ機１が認証状態となっていないので、認証状態でないことを示すエラー情報を含む反射波をアンテナ２４ｂから送信し（Ｓ２０６）、Ｓ２０１へ戻る。
【０１４８】
Ｓ２０１において、依頼情報を含む呼出波を受信していない場合には（Ｓ２０１：ＮＯ）、アンテナ２４ｂがＨＴ４００から認証用依頼情報を含む呼出波を受信したか否かを判定する（Ｓ２０７）。認証用依頼情報を含む呼出波を受信した場合には（Ｓ２０７：ＹＥＳ）、ＨＴ４００から認証用登録情報３２２の送信が要求されているが、自身が設置されているパチンコ機１の認証用登録情報をＨＴ４００が依頼しているのかを確認するために、認証用依頼情報と共に呼出波に含まれているＩＤコードが、ＥＥＰＲＯＭ２４ｃに記憶されているＩＤコードと一致しているか否かを判定する（Ｓ２０８）。ＩＤコードが一致していない場合には（Ｓ２０８：ＮＯ）、この管理用ＩＣタグ２４はＨＴ４００が認証用登録情報を取得しようとしているパチンコ機１に備えられている管理用ＩＣタグ２４でないことを意味するので、異なるパチンコ機１と通信していることを示すエラー情報を含む反射波をアンテナ２４ｂから送信し（Ｓ２１０）、Ｓ２０１へ戻る。ＩＤコードが一致している場合には（Ｓ２０８：ＹＥＳ）、ＨＴ４００が認証用登録情報を取得しようとしているパチンコ機１に備えられた管理用ＩＣタグ２４と通信をしているということとなるので、Ｒ／Ｗユニット３０へ要求を伝えるために、Ｒ／Ｗユニット３０へケーブル２４ｋを介して認証用依頼情報を送信し（Ｓ２０９）、Ｓ２０１へ戻る。
【０１４９】
Ｓ２０７において、認証用依頼情報を含む呼出波を受信していない場合には（Ｓ２０７：ＮＯ）、Ｒ／Ｗユニット３０からケーブル２４ｋを介して登録情報を受信したか否かを判定する（Ｓ２１１）。登録情報を受信した場合には（Ｓ２１１：ＹＥＳ）、Ｒ／Ｗユニット３０からＨＴ４００へ引き渡すために登録情報３２１が送信されてきたので、受信した登録情報を含む反射波をアンテナ２４ｂから送信し（Ｓ２１２）、Ｓ２０１へ戻る。
【０１５０】
Ｓ２１１において、登録情報を受信していない場合には（Ｓ２１１：ＮＯ）、Ｒ／Ｗユニット３０からケーブル２４ｋを介して認証用登録情報を受信したか否かを判定する（Ｓ２１３）。認証用登録情報を受信した場合には（Ｓ２１３：ＹＥＳ）、Ｒ／Ｗユニット３０からＨＴ４００へ引き渡すために認証用登録情報３２２が送信されてきたので、受信した認証用登録情報を含む反射波をアンテナ２４ｂから送信し（Ｓ２１４）、Ｓ２０１へ戻る。
【０１５１】
Ｓ２１３において、認証用登録情報を受信していない場合には（Ｓ２１３：ＮＯ）、アンテナ２４ｂがＨＴ４００から登録情報を含む呼出波を受信したか否かを判定する（Ｓ２１５）。登録情報を含む呼出波を受信した場合には（Ｓ２１５：ＹＥＳ）、ＨＴ４００で設定された登録情報４１４１を、Ｒ／Ｗユニット３０へ記憶させるために送信されてきているが、自身が設置されているパチンコ機１が、登録情報を記憶するパチンコ機１であるかを確認するために、登録情報と共に呼出波に含まれているＩＤコードが、ＥＥＰＲＯＭ２４ｃに記憶されているＩＤコードと一致しているか否かを判定する（Ｓ２１６）。ＩＤコードが一致していない場合には（Ｓ２１６：ＮＯ）、この管理用ＩＣタグ２４はＨＴ４００が登録情報を記憶させようとしているパチンコ機１に備えられている管理用ＩＣタグ２４でないことを意味するので、異なるパチンコ機１と通信していることを示すエラー情報を含む反射波をアンテナ２４ｂから送信し（Ｓ２１７）、Ｓ２０１へ戻る。
【０１５２】
ＩＤコードが一致している場合には、（Ｓ２１６：ＹＥＳ）、受信した登録情報をパチンコ機１のＲ／Ｗユニット３０に記憶させるために、Ｒ／Ｗユニット３０へ受信した登録情報を送信するが、パチンコ機１が認証状態である場合にしか、登録情報３２１を記憶することはできないので、管理用ＩＣタグ２４の認証フラグが「ＯＮ」であるか否かにより、パチンコ機１が認証状態であるか否かを判定する（Ｓ２１８）。管理用ＩＣタグ２４の認証フラグが「ＯＮ」である場合には（Ｓ２１８：ＹＥＳ）、パチンコ機１が認証状態となっているので、Ｒ／Ｗユニット３０へ受信した登録情報をケーブル２４ｋを介して送信し（Ｓ２１９）、Ｓ２０１へ戻る。管理用ＩＣタグ２４の認証フラグが「ＯＮ」となっていない場合には（Ｓ２１８：ＮＯ）、パチンコ機１が認証状態となっていないので、認証状態でないことを示すエラー情報を含む反射波をアンテナ２４ｂからＨＴ４００へ送信し（Ｓ２２０）、Ｓ２０１へ戻る。
【０１５３】
Ｓ２１５において、登録情報を含む呼出波を受信していない場合には（Ｓ２１５：ＮＯ）、認証用登録情報を含む呼出波を受信したか否かを判定する（Ｓ２２１）。認証用登録情報を含む呼出波を受信した場合には（Ｓ２２１：ＹＥＳ）、ＨＴ４００で設定された認証用登録情報４１４２が、Ｒ／Ｗユニット３０へ記憶させるために送信されてきているが、自身が設置されているパチンコ機１へ認証用登録情報を記憶するのかを確認するために、認証用登録情報と共に呼出波に含まれているＩＤコードが、ＥＥＰＲＯＭ２４ｃに記憶されているＩＤコードと一致しているか否かを判定する（Ｓ２２２）。ＩＤコードが一致していない場合には（Ｓ２２２：ＮＯ）、この管理用ＩＣタグ２４が認証用登録情報を記憶するパチンコ機１に備えられている管理用ＩＣタグ２４でないことを意味するので、異なるパチンコ機１と通信していることを示すエラー情報を含む反射波をアンテナ２４ｂから送信し（Ｓ２２４）、Ｓ２０１へ戻る。ＩＤコードが一致している場合には（Ｓ２２２：ＹＥＳ）、受信した認証用登録情報をパチンコ機１のＲ／Ｗユニット３０に記憶させるために、受信した認証用登録情報をＲ／Ｗユニット３０へケーブル２４ｋを介して送信し（Ｓ２２３）、Ｓ２０１へ戻る。
【０１５４】
Ｓ２２１において、認証用登録情報を含む反射波をＨＴ４００から受信していない場合には（Ｓ２２１：ＮＯ）、Ｒ／Ｗユニット３０からケーブル２４ｋを介して完了情報を受信したか否かを判定する（Ｓ２２５）。完了情報を受信した場合には（Ｓ２２５：ＹＥＳ）、Ｒ／Ｗユニット３０にて登録情報３２１又は認証用登録情報３２２の記憶が正常に完了しているので、受信した完了情報を含む反射波をアンテナ２４ｂから送信し（Ｓ２２６）、Ｓ２０１へ戻る。完了情報を受信していない場合には（Ｓ２２５：ＮＯ）、なにもせずにＳ２０１へ戻る。以上の処理を繰り返し実施することにより、管理用ＩＣタグ送受信処理を継続して実施することができる。
【０１５５】
次に、図３１のフローチャートを参照して、Ｒ／Ｗユニット３０のメイン処理で行われる送受信処理（図１７：Ｓ１４）の変形例について説明する。このメイン処理は、図１７に示すＲ／Ｗユニット３０のメイン処理中で実施される。
【０１５６】
まず、管理用ＩＣタグ２４から依頼情報を受信したか否かを判定する（Ｓ２３１）。依頼情報を受信した場合には（Ｓ２３１：ＹＥＳ）、ＨＴ４００から登録情報３２１の送信を依頼されている。そこで、ＥＥＰＲＯＭ３２の登録情報記憶エリアに記憶されている登録情報３２１を管理用ＩＣタグ２４へ送信し（Ｓ２３２）、処理を終了する。依頼情報を実施していない場合には（Ｓ２３１：ＮＯ）、管理用ＩＣタグ２４から認証用依頼情報を受信したか否かを判定する（Ｓ２３３）。認証用依頼情報を受信した場合には（Ｓ２３３：ＹＥＳ）、ＨＴ４００から認証用登録情報３２２の送信を依頼されている。ＥＥＰＲＯＭ３２の認証用登録情報記憶エリアに記憶されている認証用登録情報３２２を管理用ＩＣタグ２４へ送信し（Ｓ２３４）、処理を終了する。
【０１５７】
認証用依頼情報を受信していない場合には（Ｓ２３３：ＮＯ）、管理用ＩＣタグ２４から登録情報を受信したか否かを判定する（Ｓ２３５）。登録情報を受信した場合には（Ｓ２３５：ＹＥＳ）、ＨＴ４００で設定された登録情報が送信されてきている。そこで、受信した登録情報をＥＥＰＲＯＭ３２の登録情報記憶エリアに記憶されている登録情報３２１に記憶し（Ｓ２３６）、登録情報の記憶が完了したことを示す完了情報を管理用ＩＣタグ２４へ送信して（Ｓ２３７）、処理を終了する。
【０１５８】
登録情報を受信していない場合には（Ｓ２３５：ＮＯ）、認証用登録情報を受信したか否かを判定する（Ｓ２３８）。認証用登録情報を受信した場合には（Ｓ２３８：ＹＥＳ）、ＨＴ４００で設定された認証用登録情報が送信されてきている。そこで、受信した認証用登録情報をＥＥＰＲＯＭ３２の認証用登録情報記憶エリアに記憶されている認証用登録情報３２２に記憶し（Ｓ２３９）、認証用登録情報の記憶が完了したことを示す完了情報を管理用ＩＣタグ２４へ送信して（Ｓ２４０）、処理を終了する。認証用登録情報を受信していない場合には（Ｓ２３８：ＮＯ）、なにもせずに処理を終了する。
【０１５９】
７．実施の形態と請求項との対比
尚、図１３に示す登録情報３２１が記憶されているＲ／Ｗユニット３０のＥＥＰＲＯＭ３２（図４参照）の登録情報記憶エリアがＩＣタグ監視装置の「第２登録情報記憶手段」に相当する。また、図１５に示す認証用登録情報３２２が記憶されているＲ／Ｗユニット３０のＥＥＰＲＯＭ３２（図４参照）の認証用登録情報記憶エリアがＩＣタグ監視装置の「認証用登録情報記憶手段」に相当する。
図２２に示す登録情報４１４１が記憶されているＨＴ４００のフラッシュメモリ４１４の登録情報記憶エリア４１４ａ（図１２参照）が携帯情報端末の「第１登録情報記憶手段」に相当する。また、図２６に示す認証用登録情報４１４２が記憶されているＨＴ４００のフラッシュメモリ４１４の認証用登録情報記憶エリア４１４ｂ（図１２参照）が携帯情報端末の「第１認証用登録情報記憶手段」に相当する。また、図２７に示す認定処理において入力されるパスワードと比較されるパスワードが記憶されているＨＴ４００のＲＯＭ４１２（図１２参照）のパスワード記憶エリア（図示外）が携帯情報端末の「特定情報記憶手段」に相当する。また、図４に示すＲＦ回路３５及び認証用アンテナ１２８がＩＣタグ監視装置の「呼出波送信手段」及び「反射波受信手段」に相当する。
【０１６０】
また、図１７に示すメイン処理のフローチャートのＳ９〜Ｓ１３の処理を実施するＣＰＵ３１がＩＣタグ監視装置の「認証判定手段」として機能する。さらに、図２３に示す監視設定処理のフローチャートのＳ８１の処理を実施するＣＰＵ４１１が携帯情報端末の「第１依頼情報送信手段」として機能し、Ｓ８２の処理を実施するＣＰＵ４１１が携帯情報端末の「第２登録情報受信手段」として機能し、Ｓ８７〜Ｓ１０９の処理を実施するＣＰＵ４１１が携帯情報端末の「登録情報設定手段」として機能し、Ｓ９０の処理を実施するＣＰＵ４１１が携帯情報端末の「第３登録情報送信手段」として機能し、
【０１６１】
また、図２７に示す認証設定処理のフローチャートのＳ１１９及びＳ１２１の処理を実施するＣＰＵ４１１が携帯情報端末の「特定情報入力手段」として機能し、Ｓ１２２の処理を実施するＣＰＵ４１１が携帯情報端末の「特定情報判定手段」として機能し、Ｓ１２２の処理を実施するＣＰＵ４１１が携帯情報端末の「認証用登録情報設定制御手段」として機能し、Ｓ１２３の処理を実施するＣＰＵ４１１が携帯情報端末の「第１認証用依頼情報送信手段」として機能し、Ｓ１２４の処理を実施するＣＰＵ４１１が携帯情報端末の「第２認証用登録情報受信手段」として機能し、Ｓ１２９〜Ｓ１４６の処理を実施するＣＰＵ４１１が携帯情報端末の「認証用登録情報設定手段」として機能し、Ｓ１３２の処理を実施するＣＰＵ４１１が携帯情報端末の「第３認証用登録情報送信手段」として機能しする。
【０１６２】
また、図２８に示す管理用ＩＣタグ送受信処理のフローチャートのＳ１５０の処理又は図３０に示す変形例の管理用ＩＣタグ送受信処理のフローチャートのＳ２０１の処理を実施するＣＰＵ２４ｆが管理用ＩＣタグの「第１依頼情報受信手段」として機能する。また、Ｓ１５２の処理又はＳ２０５の処理を実施するＣＰＵ２４ｆが管理用ＩＣタグの「第２依頼情報送信手段」として機能する。Ｓ１５８の処理又はＳ２１１の処理を実施するＣＰＵ２４ｆが管理用ＩＣタグの「第１登録情報受信手段」として機能し、Ｓ１５９の処理又はＳ２１２の処理を実施するＣＰＵ２４ｆが管理用ＩＣタグの「第２登録情報送信手段」として機能しする。Ｓ１６２の処理又はＳ２１５の処理を実施するＣＰＵ２４ｆが管理用ＩＣタグの「第３登録情報受信手段」として機能し、Ｓ１６４の処理又はＳ２１９の処理を実施するＣＰＵ２４ｆが管理用ＩＣタグの「第４登録情報送信手段」として機能する。
【０１６３】
また、Ｓ１５４の処理又はＳ２０７の処理を実施するＣＰＵ２４ｆが管理用ＩＣタグの「第１認証用依頼情報受信手段」として機能し、Ｓ１５６の処理又はＳ２０９の処理を実施するＣＰＵ２４ｆが管理用ＩＣタグの「第２認証用依頼情報送信手段」として機能する。Ｓ１６６の処理又はＳ２２１の処理を実施するＣＰＵ２４ｆが管理用ＩＣタグの「第１認証用登録情報受信手段」として機能し、Ｓ１６８の処理又はＳ２２３の処理を実施するＣＰＵ２４ｆが管理用ＩＣタグの「第２認証用登録情報送信手段」として機能する。Ｓ１６６の処理又はＳ２２１の処理を実施するＣＰＵ２４ｆが管理用ＩＣタグの「第３認証用登録情報受信手段」として機能し、Ｓ１６８の処理又はＳ２２３の処理を実施するＣＰＵ２４ｆが管理用ＩＣタグの「第４認証用登録情報送信手段」として機能する。
【０１６４】
また、図２９に示す送受信処理のフローチャートのＳ４７の処理又は図３１に示す変形例の送受信処理のフローチャートのＳ２３５の処理を実施するＣＰＵ３１がＩＣタグ監視装置の「第４登録情報受信手段」として機能し、Ｓ４１の処理又はＳ２３１の処理を実施するＣＰＵ３１がＩＣタグ監視装置の「第２依頼情報受信手段」として機能し、Ｓ４３の処理又はＳ２３２の処理を実施するＣＰＵ３１がＩＣタグ監視装置の「第１登録情報送信手段」として機能する。
【０１６５】
また、Ｓ４２，Ｓ４３の処理を実施するＣＰＵ３１がＩＣタグ監視装置の「登録情報送信制御手段」として機能し、Ｓ４８，Ｓ４９の処理を実施するＣＰＵ３１がＩＣタグ監視装置の「登録情報記憶制御手段」として機能する。
【０１６６】
Ｓ４５の処理又はＳ２３３の処理を実施するＣＰＵ３１がＩＣタグ監視装置の「第２認証用依頼情報受信手段」として機能し、Ｓ４６の処理又はＳ２３４の処理を実施するＣＰＵ３１がＩＣタグ監視装置の「第１認証用登録情報送信手段」として機能し、Ｓ５２の処理又はＳ２３８の処理を実施するＣＰＵ３１がＩＣタグ監視装置の「第４認証用登録情報受信手段」として機能する。
【０１６７】
８．実施の形態の効果
以上説明したように、上記の実施の形態の監視システムでは、監視用ＩＣタグ８６，監視用ＩＣタグ１８６により基板ボックス８０及び大入賞口１６の開放を監視し、その監視情報をＲ／Ｗユニット３０に記憶することができる。また、Ｒ／Ｗユニット３０に記憶された監視情報は、遊技場内に設置された管理端末装置１００にも送信され、記憶される。また、管理端末装置１００からはホールコンピュータ３００へ監視情報が送られて、ホールコンピュータ３００で遊技場内の全てのパチンコ機１の監視情報を管理できるようになっている。
【０１６８】
また、パチンコ機１の本体枠１１０、前面枠１１１及び機枠１１２を開錠する鍵１２１には認証用ＩＣタグ１２６が埋め込まれており、パチンコ機１のの鍵穴１２０に正規の鍵１２１を差し込むことにより、パチンコ機１が認証状態となる。そして、ＨＴ４００はパチンコ機１が認証状態となっている場合に、パチンコ機１に貼り付けられている認証用ＩＣタグ１２６と通信することによりＲ／Ｗユニット３０に記憶されている登録情報や認証用登録情報を取得することができ、登録情報の設定を行うことができる。したがって、操作者はパチンコ機１の鍵穴１２０に鍵１２１を差し込んで、ＨＴ４００を操作することによって、パチンコ機１の登録情報の設定を行い、設定後の登録情報をＲ／Ｗユニット３０へ返送することができる。
【０１６９】
さらに、予めＨＴ４００に記憶されたパスワードを入力することにより、認証用ＩＣタグ１２６と通信することによりＲ／Ｗユニット３０に記憶されている認証用登録情報を取得し、設定を行い、設定後の認証用登録情報をＲ／Ｗユニット３０へ返送することができる。
【０１７０】
９．変形例の説明
尚、本発明は、以上詳述した実施の形態に限定されるものではなく、種々の変更が可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。さらに、遊技機に限らず、所定の動作を行って製品を製造する工作機械、所定の動作を行って商品を販売する自動販売機、所定の動作を行ってサービスを提供するサービス提供装置等にも適用可能である。
【０１７１】
また、上記実施の形態では、移動を監視される被監視部材としてパチンコ機１の基板ボックス８０及び大入賞口１６を扱い、夫々一箇所に監視用ＩＣタグを設置したが、移動を監視される部材はこれに限らず、他の入賞口や普通図柄始動ゲート、センターカバー９０や各種基板に設置して、その開閉状態を監視してもよい。また、本体枠１１０、前面枠１１１又は機枠１１２に監視用ＩＣタグを備え、前面枠１１１と本体枠１１０、本体枠１１０と機枠１１２の開閉を監視してもよい。また、監視用ＩＣタグを設置する場所は各部材に一箇所である必要はなく、複数の位置に設置してもよい。さらに、装置がパチンコ機１でない場合にはもちろん、移動を監視される部材は上記実施の形態の部材に限らず、装置に備えられ、開閉が行われる開閉部材や装置を構成する構成部材であればよく、開閉部材の開閉や構成部材の所在を監視するために、１つ又は複数の監視用ＩＣタグを開閉部材や構成部材に設置して、その部材の移動を監視してもよい。
【０１７２】
また、上記実施の形態では認証用登録情報３２２に記憶できる認証用ＩＣタグ１２６のＩＤコードを８個として扱ったが、これは８個に限らずそれ以上であっても、以下であってもよく、１つであってもよい。また、上記実施の形態では、認証用ＩＣタグ１２６を鍵１２１に埋め込ませたが、認証用ＩＣタグ１２６を備えた認証部材は必ずしも鍵１２１に埋め込まれている必要はなく、操作担当者の名札や身分証、制服、筆記用具等に埋め込まれていてもよく、また、認証部材として単独で存在していてもよく、形状もカード型のプラスチック板、指輪型、スティック型、布地への埋め込みなどでもよい。
【０１７３】
また、上記実施の形態では、登録情報に記憶されている監視間隔時間毎に監視用ＩＣタグへ監視用呼出波を送信しているが、遊技が行われている場合には５ミリ秒毎に監視用呼出波を送信し、遊技が行われていない場合には２秒毎に監視用呼出波の送信を行うようにしたり、時間毎に監視用呼出波の監視間隔を設定したりしてもよい。同様に、認証用ＩＣタグへの認証用呼出波の送信タイミングを認証用登録情報に記憶させ、その送信タイミングに従い、認証用呼出波を送信するようにしてもよい。
【０１７４】
また、上記実施の形態では、ＨＴ４００としてＰＤＡの形状をしている端末装置を使用したが、これはＰＤＡに限らず、携帯電話や他の携帯情報端末や専用機でも構わず、管理用ＩＣタグ２４と通信可能なＲＦ回路４１０及びアンテナ４０２を備えていれば良い。
【０１７５】
また、上記実施の形態では、認証用登録情報１１４１の設定を行う際の特定情報としてパスワードを使用し、その一致を判定したが、これは氏名及びパスワードの確認に限らず、パスワードのみであったり、社員コードとパスワードであったり、社員コードのみであったりしてもよい。
【０１７６】
また、上記実施の形態では、ＨＴ４００は依頼情報や認証用依頼情報を管理用ＩＣタグ２４へ送信することにより、Ｒ／Ｗユニット３０に記憶されいる登録情報３２１や認証用登録情報３２２を取得したが、設定を行う際にＲ／Ｗユニット３０から登録情報や認証用登録情報を取得せず、ＨＴ４００のフラッシュメモリ４１４に記憶されている登録情報４１４１又は認証用登録情報４１４２を呼び出して、設定を行い、管理用ＩＣタグ２４を介してＲ／Ｗユニット３０へ変更した登録情報又は認証用登録情報を送信して、Ｒ／Ｗユニット３０に記憶されいる登録情報又は認証用登録情報を更新してもよい。
【０１７７】
また、登録情報及び認証用登録情報は、管理用ＩＣタグ２４のＥＥＰＲＯＭ２４ｃにも記憶するようにしてもよい。そこで、管理用ＩＣタグ２４は、ＨＴ４００から依頼情報又は認証用依頼情報を含む呼出波を受信した際には、Ｒ／Ｗユニット３０から登録情報又は認証用登録情報を取得するのではなく、ＥＥＰＲＯＭ２４ｃに記憶されている登録情報又は認証用登録情報を反射波に載せて送信してもよい。
【０１７８】
また、上記実施の形態では、監視情報依頼情報を受信した管理用ＩＣタグ２４が備えられているパチンコ機１が、ＨＴ４００が監視情報を取得しようとしているパチンコ機１であるか否かの確認を、依頼情報と共に呼出波に含まれているＩＤコードが、管理用ＩＣタグ２４のＥＥＰＲＯＭ２４ｃに記憶されている自身のＩＤコードと一致するか否かにより判断している。しかし、確認方法はこれに限らず、ＨＴ４００側で、管理用ＩＣタグ２４から送信されてきた監視情報を含む反射波に含まれているＩＤコードが、管理用ＩＣタグＩＤコード記憶エリア４１４ｃに記憶されている、監視情報を取得しようとしているパチンコ機のＩＤコードと一致するか否かにより判断しても良い。また、ＩＤコードにより判定するのではなく、パチンコ機１の台番号により判定してもよい。この場合には、管理用ＩＣタグ２４又はＲ／Ｗユニット３０に自身が設置されているパチンコ機１の台番号を予め記憶しておき、ＨＴ４００から台番号を管理用ＩＣタグ２４へ送信して、管理用ＩＣタグ２４又はＲ／Ｗユニット３０で台番号が一致するか否かにより判定を行うようにすればよい。
【０１７９】
また、上記実施の形態では、特定情報記憶手段及び特定情報判定手段を携帯情報端末に備えているが、管理用ＩＣタグに備えて特定情報を管理用ＩＣタグ２４のＥＥＰＲＯＭ２４ｃに記憶させ、ＨＴ４００で入力した特定情報を管理用ＩＣタグ２４へ送信して、入力された特定情報が予め登録されているものと一致するか否かの判定を管理用ＩＣタグ２４のＣＰＵ２４ｆで行ってもよい。この場合には、判定結果が管理用ＩＣタグ２４からＨＴ４００へ送信され、ＨＴ４００側の認証用登録情報制御手段が特定情報の一致を認識できるようにする。また、特定情報記憶手段及び特定情報判定手段をＩＣタグ監視装置であるＲ／Ｗユニット３０に備え、特定情報をＥＥＰＲＯＭ３１に記憶させ、ＨＴ４００で入力した特定情報を、Ｒ／Ｗユニット３０へ送信して、入力した特定情報が予め登録されているものと一致するか否かの判定をＲ／Ｗユニット３０のＣＰＵ３１で行ってもよい。この場合も、判定結果が管理用ＩＣタグ２４からＨＴ４００へ送信され、ＨＴ４００側の認証用登録情報制御手段が特定情報の一致を認識できるようにする。
【０１８０】
【発明の効果】
以上、説明したように、請求項１に係る発明の監視システムでは、装置のＩＣタグ監視装置は、監視用ＩＣタグと通信を行って部材を監視し、ＩＣタグ監視装置に備えられた管理用ＩＣタグは、携帯情報端末と通信することができる。また、携帯情報端末の第１依頼情報送信手段は、登録情報の送信を依頼する依頼情報を管理用ＩＣタグに送信し、第２登録情報受信手段は、管理用ＩＣタグから送信された登録情報を受信し、第１登録情報記憶手段は、第２登録情報受信手段が受信した登録情報を記憶し、登録情報設定手段は、登録情報の設定を行い、第１登録情報記憶手段に記憶し、第３登録情報送信手段は、第１登録情報記憶手段に記憶された登録情報を管理用ＩＣタグへ送信することができる。また、管理用ＩＣタグの第１依頼情報受信手段は、第１依頼情報送信手段から送信された依頼情報を受信し、第２依頼情報送信手段は、第１依頼情報受信手段が受信した依頼情報をＩＣタグ監視装置へ送信し、第１登録情報受信手段は、ＩＣタグ監視装置から送信された登録情報を受信し、第２登録情報送信手段は、第１登録情報受信手段が受信した登録情報を第２登録情報受信手段へ送信し、第３登録情報受信手段は、第３登録情報送信手段から送信された登録情報を受信し、第４登録情報送信手段は、第３登録情報受信手段が受信した登録情報をＩＣタグ監視装置へ送信することができる。また、ＩＣタグ監視装置の第４登録情報受信手段は、第４登録情報送信手段から送信された登録情報を受信し、第２登録情報記憶手段は、第４登録情報受信手段が受信した登録情報を記憶し、第２依頼情報受信手段は、第２依頼情報送信手段から送信された依頼情報を受信し、第１登録情報送信手段は、第２依頼情報受信手段が依頼情報を受信した場合に、第２登録情報記憶手段に記憶している登録情報を第１登録情報受信手段に送信することができる。したがって、携帯情報端末で装置に備えられているＩＣタグ監視装置に記憶されている登録情報を取得して、設定を行い、設定後の登録情報をＩＣタグ監視装置に送信して記憶させることができる。よって、携帯情報端末が複数存在する場合、以前設定を行った携帯情報端末と異なる携帯情報端末で設定を行うこともできる。
【０１８１】
また、請求項２に係る発明の監視システムでは、請求項１に記載の発明の効果に加えて、ＩＣタグの監視装置認証用登録情報記憶手段は、認証用ＩＣタグを監視するための情報である認証用登録情報を記憶し、呼出波送信手段は、認証用ＩＣタグを呼び出す呼出波を送信し、反射波受信手段は、認証用ＩＣタグから返送される反射波を受信し、認証判定手段は、反射波受信手段が、認証用登録情報記憶手段に記憶されている認証用登録情報の中の識別情報と同一の識別情報を含む反射波を受信した場合に、装置を認証状態とし、登録情報送信制御手段は、装置が認証状態である場合にのみ、第１登録情報送信手段は第２登録情報記憶手段に記憶している登録情報を管理用ＩＣタグに送信し、登録情報記憶制御手段は、装置が認証状態である場合にのみ、第２登録情報受信手段が受信した登録情報を第２登録情報記憶手段に記憶することができる。したがって、携帯情報端末が管理用ＩＣタグを介してＩＣタグ監視装置から登録情報を取得できるのは、認証部材を用いて装置を認証状態としている場合のみである。よって、正規の認証部材を所有しない者が携帯情報端末を操作して登録情報を取得したり、変更したりすることはできない。
【０１８２】
また、請求項３に係る発明の監視システムでは、請求項１又は２に記載の発明の効果に加えて、登録情報は、監視用ＩＣタグが備えられている位置を特定する位置特定符号に対応されて記憶されており、ＩＣタグ監視装置が監視用ＩＣタグを監視する監視タイミング、及び、監視用ＩＣタグに記憶されている識別情報の少なくとも１つを含むことができる。
【０１８３】
また、請求項４に係る発明の監視システムでは、請求項２に記載の発明の効果に加えて、認証用登録情報は、呼出波送信手段の認証用ＩＣタグへの呼出波の送信タイミング及び、認証用ＩＣタグに記憶されている識別情報のうちの少なくとも１つを含むことができる。
【０１８４】
また、請求項５に係る発明の監視システムでは、請求項１乃至４のいずれかに記載の発明の効果に加えて、携帯情報端末の第１認証用依頼情報送信手段は、認証用登録情報の送信を依頼する認証用依頼情報を管理用ＩＣタグに送信し、第２認証用登録情報受信手段は、管理用ＩＣタグから送信された認証用登録情報を受信し、第１認証用登録情報記憶手段は、第２認証用登録情報受信手段が受信した認証用登録情報を記憶し、認証用登録情報設定手段は、認証用登録情報の設定を行い、第１認証用登録情報記憶手段に記憶し、第３認証用登録情報送信手段は、第１認証用登録情報記憶手段に記憶された認証用登録情報を管理用ＩＣタグへ送信することができる。また、管理用ＩＣタグの第１認証用依頼情報受信手段は、第１認証用依頼情報送信手段から送信された認証用依頼情報を受信し、第２認証用依頼情報送信手段は、第１認証用依頼情報受信手段が受信した認証用依頼情報をＩＣタグ監視装置へ送信し、第１認証用登録情報受信手段は、ＩＣタグ監視装置から送信された認証用登録情報を受信し、第２認証用登録情報送信手段は、第１認証用登録情報受信手段が受信した認証用登録情報を第２認証用登録情報受信手段へ送信し、第３認証用登録情報受信手段は、第３認証用登録情報送信手段から送信された認証用登録情報を受信し、第４認証用登録情報送信手段は、第３認証用登録情報受信手段が受信した認証用登録情報をＩＣタグ監視装置へ送信することができる。また、ＩＣタグ監視装置の第２認証用依頼情報受信手段は、第２認証用依頼情報送信手段から送信された認証用依頼情報を受信し、第１認証用登録情報送信手段は、第２認証用依頼情報受信手段が認証用依頼情報を受信した場合に、認証用登録情報記憶手段に記憶している認証用登録情報を第１認証用登録情報受信手段に送信し、第４認証用登録情報受信手段は、第４認証用登録情報送信手段から送信された認証用登録情報を受信することができる。したがって、携帯情報端末で装置に備えられているＩＣタグ監視装置に記憶されている認証用登録情報を取得して、設定を行い、設定後の登録情報をＩＣタグ監視装置に送信して記憶させることができる。
【０１８５】
また、請求項６に係る発明の監視システムでは、請求項５に記載の発明の効果に加えて、携帯情報端末の特定情報記憶手段は、操作者を特定する特定情報を記憶し、特定情報入力手段は、特定情報を入力し、特定情報判定手段は、特定情報入力手段により入力された特定情報が特定情報記憶手段に記憶されている特定情報と一致するか否かの判定を行い、認証用登録情報設定制御手段は、特定情報判定手段により一致していると判定された場合にのみ、認証用登録情報設定手段において認証用登録情報の設定を行うことができる。したがって、特定情報を知らない者が、勝手に携帯情報端末装置を操作して、登録情報又は認証用登録情報を設定することはできない。
【０１８６】
また、請求項７に係る発明の監視システムでは、請求項１乃至６のいずれかに記載の発明の効果に加えて、装置は遊技機を用いることができる。したがって、遊技機に関する監視の登録情報の設定を携帯情報端末で行うことができる。
【０１８７】
また、請求項８に係る発明の監視システムでは、請求項７に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護することができる。また、鍵と錠とで構成された施錠装置は、機枠と本体枠、及び本体枠と前面枠とを施錠し、鍵は認証部材を備えることができる。したがって、装置である遊技機の開閉を行う鍵と認証部材とを共用することができるので、係員は多数の鍵を管理する必要がない。
【０１８８】
また、請求項９に係る発明のＩＣタグを備えた装置では、管理用ＩＣタグの第１依頼情報受信手段は、携帯情報端末から送信された登録情報の送信を依頼する依頼情報を受信し、第２依頼情報送信手段は、第１依頼情報受信手段が受信した依頼情報をＩＣタグ監視装置へ送信し、第１登録情報受信手段は、ＩＣタグ監視装置から送信された登録情報を受信し、第２登録情報送信手段は、第１登録情報受信手段が受信した登録情報を携帯情報端末へ送信し、第３登録情報受信手段は、携帯情報端末から送信された登録情報を受信し、第４登録情報送信手段は、第３登録情報受信手段が受信した登録情報をＩＣタグ監視装置へ送信することができる。また、ＩＣタグ監視装置の第４登録情報受信手段は、第４登録情報送信手段から送信された登録情報を受信し、第２登録情報記憶手段は、第４登録情報受信手段が受信した登録情報を記憶し、第２依頼情報受信手段は、第２依頼情報送信手段から送信された依頼情報を受信し、第１登録情報送信手段は、第２依頼情報受信手段が依頼情報を受信した場合に、第２登録情報記憶手段に記憶している登録情報を第１登録情報受信手段に送信することができる。
【０１８９】
また、請求項１０に係る発明のＩＣタグを備えた装置では、請求項９に記載の発明の効果に加えて、ＩＣタグ監視装置の認証用登録情報記憶手段は、認証用ＩＣタグを監視するための情報である認証用登録情報を記憶し、呼出波送信手段は、認証用ＩＣタグを呼び出す呼出波を送信し、反射波受信手段は、認証用ＩＣタグから返送される反射波を受信し、認証判定手段は、反射波受信手段が、認証用登録情報記憶手段に記憶されている認証用登録情報の中の識別情報と同一の識別情報を含む反射波を受信した場合に、装置を認証状態とし、登録情報送信制御手段は、装置が認証状態である場合にのみ、第１登録情報送信手段は第２登録情報記憶手段に記憶している登録情報を管理用ＩＣタグに送信することができ、登録情報記憶制御手段は、装置が認証状態である場合にのみ、第４登録情報受信手段が受信した登録情報を第２登録情報記憶手段に記憶することができる。
【０１９０】
また、請求項１１に係る発明のＩＣタグを備えた装置では、請求項９又は１０に記載の発明の効果に加えて、登録情報は、監視用ＩＣタグが備えられている位置を特定する位置特定符号に対応されて記憶されており、ＩＣタグ監視装置が監視用ＩＣタグを監視する監視タイミング、及び、監視用ＩＣタグを他のＩＣタグと区別するための監視用識別情報の少なくとも１つを含むことができる。
【０１９１】
また、請求項１２に係る発明のＩＣタグを備えた装置では、請求項１０に記載の発明の効果に加えて、認証用登録情報は、呼出波送信手段の認証用ＩＣタグへの呼出波の送信タイミング及び、認証用ＩＣタグに記憶されている識別情報のうちの少なくとも１つを用いることができる。
【０１９２】
また、請求項１３に係る発明のＩＣタグを備えた装置では、請求項９乃至１２のいずれかに記載の発明の効果に加えて、装置は遊技機を用いることができる。
【０１９３】
また、請求項１４に係る発明のＩＣタグを備えた装置では、請求項１３に記載の発明の効果に加えて、遊技機の機枠は、遊技機を設置する遊技機設置台に遊技機を固定し、本体枠は、遊技機の本体を機枠に設置し、前面枠は、遊技球が流下する遊技領域を保護することができる。また、鍵と錠とで構成された施錠装置は、機枠と本体枠、及び本体枠と前面枠とを施錠し、鍵は認証部材を備えることができる。
【０１９４】
また、請求項１５に係る発明の携帯情報端末では、携帯情報端末の第１依頼情報送信手段は、登録情報の送信を依頼する依頼情報を管理用ＩＣタグに送信し、第２登録情報受信手段は、管理用ＩＣタグから送信された登録情報を受信し、第１登録情報記憶手段は、第２登録情報受信手段が受信した登録情報を記憶し、登録情報設定手段は、登録情報の設定を行い、第１登録情報記憶手段に記憶し、第３登録情報送信手段は、第１登録情報記憶手段に記憶された登録情報を装置へ送信することができる。
【０１９５】
また、請求項１６に係る発明の携帯情報端末では、請求項１５に記載の発明の効果に加えて、登録情報は、監視用ＩＣタグが備えられている位置を特定する位置特定符号に対応されて記憶されており、監視用ＩＣタグを監視するＩＣタグ監視装置が監視用ＩＣタグを監視する監視タイミング、及び、監視用ＩＣタグに記憶されている他のＩＣタグと区別するための識別情報の少なくとも１つを含むことができる。
【０１９６】
また、請求項１７に係る発明の携帯情報端末では、請求項１５又は１６に記載の発明の効果に加えて、第１認証用依頼情報送信手段は、ＩＣタグ監視装置により認証される認証部材に設けられた認証用ＩＣタグを識別するための情報である認証用登録情報の送信を依頼する認証用依頼情報を管理用ＩＣタグに送信し、第２認証用登録情報受信手段は、管理用ＩＣタグから送信された認証用登録情報を受信し、第１認証用登録情報記憶手段は、第２認証用登録情報受信手段が受信した認証用登録情報を記憶し、認証用登録情報設定手段は、認証用登録情報の設定を行い、第１認証用登録情報記憶手段に記憶し、第３認証用登録情報送信手段は、第１認証用登録情報記憶手段に記憶された認証用登録情報を管理用ＩＣタグへ送信することができる。
【０１９７】
また、請求項１８に係る発明の携帯情報端末では、請求項１７に記載の発明の効果に加えて、特定情報記憶手段は、操作者を特定する特定情報を記憶し、特定情報入力手段は、特定情報を入力し、特定情報判定手段は、特定情報入力手段により入力された特定情報が特定情報記憶手段に記憶されている特定情報と一致するか否かの判定を行い、認証用登録情報設定制御手段は、特定情報判定手段により一致していると判定された場合にのみ、認証用登録情報設定手段において認証用登録情報の設定を行うことができる。
【０１９８】
また、請求項１９に係る発明の携帯情報端末では、請求項１７又は１８に記載の発明の効果に加えて、認証用登録情報は、ＩＣタグ監視装置が認証用ＩＣタグの認証を行う認証タイミング及び、認証用ＩＣタグを他のＩＣタグと区別するための識別情報のうちの少なくとも１つを用いることができる。
【０１９９】
また、請求項２０に係る発明の携帯情報端末では、請求項１５乃至１９のいずれかに記載の発明の効果に加えて、装置は遊技機を用いることができる。
【図面の簡単な説明】
【図１】図１は、本実施の形態の監視システムの構成図である。
【図２】図２は、パチンコ機１の前面枠１１１及び本体枠１１０を開いた状態をパチンコ機１の前面から見た斜視図である。
【図３】図３はパチンコ機１の背面図である。
【図４】図４は、パチンコ機１及びパチンコ機１に付属したＲ／Ｗユニット３０の電気的構成を示すブロック図である。
【図５】図５は、監視用ＩＣタグ８６の平面図である。
【図６】図６は、監視用ＩＣタグ８６の電気的回路構成を示すブロック図である。
【図７】図７は、管理用ＩＣタグ２４の電気的回路構成を示すブロック図である。
【図８】図８は、基板ボックス８０の斜視図である。
【図９】図９は、開閉扉１６ａが開放されている状態のアタッカ部材１６０の斜視図である。
【図１０】図１０は、鍵１２１の平面図である。
【図１１】図１１は、ＨＴ４００の斜視図である。
【図１２】図１２は、ＨＴ４００の電気的構成のブロック図である。
【図１３】図１３は、Ｒ／Ｗユニット３０のＥＥＰＲＯＭ３２の登録情報記憶エリアに記憶されている登録情報３２１の模式図である。
【図１４】図１４は、Ｒ／Ｗユニット３０のＲＡＭ３３の監視処理使用データ記憶エリアに記憶されている監視処理使用データ３３１の模式図である。
【図１５】図１５は、Ｒ／Ｗユニット３０のＥＥＰＲＯＭ３２の認証用登録情報記憶エリアに記憶されている認証用登録情報３２２の模式図である。
【図１６】図１６は、Ｒ／Ｗユニット３０のＥＥＰＲＯＭ３２の監視情報記憶エリアに記憶されている監視情報３２３の模式図である。
【図１７】図１７は、Ｒ／Ｗユニット３０で行われるメイン処理のフローチャートである。
【図１８】図１８は、Ｒ／Ｗユニット３０で行われるメイン処理の中で行われる監視処理のフローチャートである。
【図１９】図１９は、ＨＴ４００の表示パネル４０３に表示されるパチンコ機監視メニュー画面４０３ａのイメージ図である。
【図２０】図２０は、ＨＴ４００の表示パネル４０３に表示される監視設定メニュー画面４０３ｂのイメージ図である。
【図２１】図２１は、ＨＴ４００の表示パネル４０３に表示される監視設定メニューの変更画面４０３ｃのイメージ図である。
【図２２】図２２は、ＨＴ４００のフラッシュメモリ４１４の登録情報記憶エリア４１４ａに記憶されている登録情報４１４１の模式図である。
【図２３】図２３は、ＨＴ４００のパチンコ機監視メニュー画面４０３ａで「登録情報設定」を選択した際に行われる登録情報設定処理のフローチャートである。
【図２４】図２４は、ＨＴ４００の表示パネル４０３に表示される認証設定メニュー画面４０３ｄのイメージ図である。
【図２５】図２５は、ＨＴ４００の表示パネル４０３に表示される認証設定メニュー画面の追加画面４０３ｅのイメージ図である。
【図２６】図２６は、ＨＴ４００のフラッシュメモリ４１４の認証用登録情報記憶エリア４１４ｂに記憶されている認証用登録情報４１４２の模式図である。
【図２７】図２７は、ＨＴ４００のパチンコ機監視メニュー画面４０３ａで「認証用登録情報設定」を選択した際に行われる認証用登録情報設定処理のフローチャートである。
【図２８】図２８は、管理用ＩＣタグ２４で行われる管理用ＩＣタグ送受信処理のフローチャートである。
【図２９】図２９は、Ｒ／Ｗユニット３０のメイン処理で行われる送受信処理のフローチャートである。
【図３０】図３０は、管理用ＩＣタグ２４で行われる管理用ＩＣタグ送受信処理（認証判断実施）の変形例のフローチャートである。
【図３１】図３１は、Ｒ／Ｗユニット３０のメイン処理で行われる送受信処理の変形例のフローチャートである。
【符号の説明】
１  パチンコ機
１６  大入賞口
１６ａ  開閉扉
２４  管理用ＩＣタグ
２４ａ  ＲＦ回路
２４ｂ  アンテナ
２４ｃ  ＥＥＰＲＯＭ
２４ｆ  ＣＰＵ
３０  Ｒ／Ｗユニット
３１  ＣＰＵ
３２  ＥＥＰＲＯＭ
４３  ＥＥＰＲＯＭ
６８  監視用アンテナ
８０  基板ボックス
８０ａ  上蓋部
８６  監視ＩＣタグ
８６ａ  ＲＦ回路
８６ｂ  アンテナ
１１０  本体枠
１１１  前面枠
１１２  機枠
１１３  本体
１２０  鍵穴
１２１  鍵
１２６  認証用ＩＣタグ
１２８  認証用アンテナ
１６８  監視用アンテナ
１８６  監視用ＩＣタグ
３２１  登録情報
３２２  認証用登録情報
４０２  アンテナ
４０３ｂ  監視設定メニュー画面
４０３ｃ  変更画面
４０３ｄ  認証設定メニュー画面
４０３ｅ  認証設定メニュー追加画面
４００  ＨＴ
４１０  ＲＦ回路
４１１  ＣＰＵ
４１４  フラッシュメモリ
４１４１  登録情報
４１４２  認証用登録情報
【図１】
2004208893.tif 000003
【図２】
2004208893.tif 000004
【図３】
2004208893.tif 000005
【図４】
2004208893.tif 000006
【図５】
2004208893.tif 000007
【図６】
2004208893.tif 000008
【図７】
2004208893.tif 000009
【図８】
2004208893.tif 000010
【図９】
2004208893.tif 000011
【図１０】
2004208893.tif 000012
【図１１】
2004208893.tif 000013
【図１２】
2004208893.tif 000014
【図１３】
2004208893.tif 000015
【図１４】
2004208893.tif 000016
【図１５】
2004208893.tif 000017
【図１６】
2004208893.tif 000018
【図１７】
2004208893.tif 000019
【図１８】
2004208893.tif 000020
【図１９】
2004208893.tif 000021
【図２０】
2004208893.tif 000022
【図２１】
2004208893.tif 000023
【図２２】
2004208893.tif 000024
【図２３】
2004208893.tif 000025
【図２４】
2004208893.tif 000026
【図２５】
2004208893.tif 000027
【図２６】
2004208893.tif 000028
【図２７】
2004208893.tif 000029
【図２８】
2004208893.tif 000030
【図２９】
2004208893.tif 000031
【図３０】
2004208893.tif 000032
【図３１】
2004208893.tif 000033